(57)【要約】【課題】作成設計および／または作成オプションの入力を提供する１つ以上のソースによる１つ以上の作成装置からのデジタル作成を管理するシステム、方法およびプログラム製品が、開示される。【解決手段】作成設計および／または作成オプションの入力を提供する１つ以上のソースを有する１つ以上の作成装置からのデジタル作成を管理するシステム、方法およびプログラム製品が、開示される。【選択図】図１
2016520221.tif 000002
【特許請求の範囲】
【請求項１】
（ａ）三次元オブジェクトを製造するデジタル作成装置と、
（ｂ）少なくとも１つ以上のプロセッサおよび非一時的コンピュータ可読メモリを含むデジタル作成管理プラットフォームと、
を含む、デジタル作成システムであって、
（ｉ）前記デジタル作成管理プラットフォームは、オブジェクト設計ファイルを含む第１データストリームを受信するように構成され、
（ｉｉ）前記作成管理プラットフォームは、第２データストリームを前記１つ以上の作成装置のうちの少なくとも１つに伝送するように構成され、前記第２データストリームは、オブジェクト設計ファイルのうちの少なくとも一部を含み、
（ｉｉｉ）前記作成管理プラットフォームは、フィードバックデータストリームを、デジタル作成状況データを少なくとも含む前記１つ以上の作成装置から受信するように構成される、デジタル作成システム。
【請求項２】
前記デジタル作成装置は、アディティブ・プリンティング装置である、請求項１に記載のシステム。
【請求項３】
前記データストリームは、不連続的に伝送されるデータのディスクリートパケットを含む、請求項１に記載のシステム。
【請求項４】
前記デジタル作成管理プラットフォームは、作成装置速度、オブジェクト設計ファイルサイズ、作成装置との初期接続を確立する時間の期間、または作成装置ダウンロード速度のいずれかに少なくとも部分的に基づき、前記第２データストリームのバッファサイズを決定するように構成される、請求項１に記載のシステム。
【請求項５】
前記オブジェクト設計ファイルの一部は、暗号化ファイルとして伝送される請求項１に記載のシステム。
【請求項６】
前記デジタル作成管理プラットフォームは、前記オブジェクト設計ファイルの他の部分が、前記デジタル作成装置のコンピュータ可読メモリに記憶されていないときにのみ、前記オブジェクト設計ファイルの一部を前記１つ以上の作成装置のうちの少なくとも１つに伝送するように構成される請求項１に記載のシステム。
【請求項７】
前記デジタル作成管理プラットフォームは、非三次元プリント可能ファイルでないオブジェクト設計ファイルを受信し、かつそれを三次元プリント可能ファイルに自動的に変換するように構成される請求項１に記載のシステム。
【請求項８】
前記非三次元プリント可能ファイルは、ＣＡＤ設計ファイルである請求項７に記載のシステム。
【請求項９】
前記デジタル作成管理プラットフォームは、前記オブジェクト設計ファイルに挿入される電子透かしを生成するように構成される請求項１に記載のシステム。
【請求項１０】
前記デジタル作成管理プラットフォームは、物理的透かし設計を前記オブジェクト設計ファイルに挿入するように構成される請求項１に記載のシステム。
【請求項１１】
前記物理的透かしは、浮き出した形状、圧痕、またはその組み合わせのいずれかを含む請求項１０に記載のシステム。
【請求項１２】
前記物理的透かしは、作成されたオブジェクトの不正コピーから保護するように設計される請求項１０に記載のシステム。
【請求項１３】
（ｃ）三次元オブジェクトの物理的設計要素を検出するように構成された読み取り装置を更に含む請求項１に記載のシステム。
【請求項１４】
前記読み取り装置は、検出された物理的設計要素を予想される物理的設計要素と比較することによって、オブジェクトをその作成後に認証するように構成される請求項１３に記載のシステム。
【請求項１５】
前記物理的設計要素は、設計構造、材料または表面形状のいずれかに少なくとも部分的に基づき比較される請求項１４に記載のシステム。
【請求項１６】
前記読み取り装置は、前記作成管理プラットフォームまたはオブジェクト設計ファイルの所有者によって挿入される専有物理的透かしを検出するように構成される請求項１４に記載のシステム。
【請求項１７】
（ｃ）環境条件を検出するように構成されるセンサ装置を更に含む請求項１に記載のシステム。
【請求項１８】
前記環境条件は、地震活動、温度、湿度または汚染のいずれかである請求項１７に記載のシステム。
【請求項１９】
フィードバックデータは、作成期間、作成装置の接続品質、作成エラー、真正性データ、環境条件、または作成装置設定のうちの少なくともいずれかを含み得る請求項１に記載のシステム。
【請求項２０】
（ａ）三次元オブジェクトを製造する複数のデジタル作成装置と、
（ｂ）少なくとも１つ以上のプロセッサおよび非一時的コンピュータ可読メモリを含むデジタル作成管理プラットフォームと、
を含む、デジタル作成システムであって、
（ｉ）前記デジタル作成管理プラットフォームは、前記複数のデジタル作成装置のうちの少なくとも一部にデータネットワークを介して接続され、
（ｉｉ）前記デジタル作成管理プラットフォームは、オブジェクト設計ファイルを含む第１データストリームを受信するように構成され、
（ｉｉｉ）前記作成管理プラットフォームは、第２データストリームを前記１つ以上の作成装置のうちの少なくとも１つに伝送するように構成され、前記第２データストリームは、オブジェクト設計ファイルのうちの少なくとも一部を含み、
（ｉｖ）前記作成管理プラットフォームは、フィードバックデータストリームを、デジタル作成状況データを少なくとも含む前記１つ以上の作成装置から受信するように構成されるデジタル作成システム。
【請求項２１】
前記作成管理プラットフォームは、複数の作成装置からの前記フィードバックデータストリームから共通フォーマットにデータを変換するように構成される請求項２０に記載のシステム。
【請求項２２】
前記作成管理プラットフォームは、
（ａ）前記作成管理プラットフォームで１つ以上のコンピュータからオブジェクト設計ファイルを受信し、
（ｂ）前記作成管理プラットフォームによって、１つ以上の作成装置との前記オブジェクト設計ファイルの互換性を決定し、
（ｃ）前記作成管理プラットフォームによって、選択された作成装置の適切な作成装置設定を決定し、
（ｄ）前記作成管理プラットフォームから前記選択された作成装置に、前記決定された作成装置設定を伝送し、かつ
（ｅ）前記作成管理プラットフォームから前記選択された作成装置に、前記処理されたオブジェクト設計ファイルのうちの少なくとも一部を伝送するステップを実行する請求項２０に記載のシステム。
【請求項２３】
前記作成管理プラットフォームは、
（ｆ）前記選択された作成装置との互換性を確保するために、前記作成管理プラットフォームによって前記オブジェクト設計ファイルを処理するステップを更に実行する請求項２２に記載のシステム。
【請求項２４】
前記オブジェクト設計ファイルを処理することは、
（ｉ）前記作成管理プラットフォームによってオブジェクト設計特性を識別することと、
（ｉｉ）オブジェクト設計特性のデータベースから類似した履歴的オブジェクト設計を確認することと、
（ｉｉｉ）オブジェクト設計特性の前記データベースから、前記類似した履歴的オブジェクト設計の作成からの履歴的作成データにアクセスすることと、を含む請求項２３に記載のシステム。
【請求項２５】
前記オブジェクト設計ファイルを処理することは、
（ｉｖ）前記履歴的作成データに少なくとも部分的に基づき前記オブジェクト設計ファイルを修正することを更に含む請求項２４に記載のシステム。
【請求項２６】
前記作成管理プラットフォームは、
（ｇ）１つ以上のデータベース中で前記作成管理プラットフォームによって、前記オブジェクト設計ファイルと、処理によってそれに実行された修正と、前記フィードバックデータストリームから受信された作成フィードバックデータとを含むオブジェクト設計ファイルデータを記憶するステップを更に実行する請求項２３に記載のシステム。
【請求項２７】
前記作成管理プラットフォームは、
（ｆ）前記作成管理プラットフォームによって、作成エラーの可能性を減少させるために前記オブジェクト設計ファイルを処理するステップを更に実行する請求項２２に記載のシステム。
【請求項２８】
前記オブジェクト設計ファイルを処理することは、
（ｉ）前記作成管理プラットフォームによってオブジェクト設計特性を識別することと、
（ｉｉ）オブジェクト設計特性のデータベースから類似した履歴的オブジェクト設計を確認することと、
（ｉｉｉ）オブジェクト設計特性の前記データベースから、前記類似した履歴的オブジェクト設計の作成からの履歴的作成データにアクセスすることと、を含む請求項２７に記載のシステム。
【請求項２９】
前記オブジェクト設計ファイルを処理することは、
（ｉｖ）前記履歴的作成データに少なくとも部分的に基づき前記オブジェクト設計ファイルを修正することを更に含む請求項２８に記載のシステム。
【請求項３０】
前記作成管理プラットフォームは、
（ｇ）１つ以上のデータベース中で前記作成管理プラットフォームによって、前記オブジェクト設計ファイルと、処理によってそれに実行された修正と、前記フィードバックデータストリームから受信された作成フィードバックデータとを含むオブジェクト設計ファイルデータを記憶するステップを更に実行する請求項２７に記載のシステム。
【発明の詳細な説明】
【技術分野】
【０００１】
（関連出願の相互参照）
本出願は、２０１３年２月４日に出願された米国出願第６１／８４９，９７７号に対する利益を主張し、その内容は、参照によって全体が本明細書に記述されるかのように組み込まれる。
【０００２】
本発明は、一般的にデジタル作成の管理に関する。具体的には、本発明は、デジタル作成のデジタル権利管理、動的モニタリングおよび製品認証に関する。
【背景技術】
【０００３】
（１）製作者によって使用されるガイディングブループリントから（２）高い技能を有する工具装置に、（３）自動的に実行可能な製造設計ファイルに移行するプロセスが始まり、かつ継続するであろう。このデジタル製造の波がきっかけで、多くの権利者は、設計ファイルが悪人の手に渡るならば、何が起きるかと考えている。自動実行は、誰でも、以前必要とされた高い技能レベルを有さずに、設計を行い、かつ意図したオブジェクトを作成できることを意味する。品質および認証されたオブジェクトを確保する方法と一体となった設計ファイルの保護レベルが、かかる設定に必要とされる。
【０００４】
現行技術は、前述のような認証を開示するが、デジタル製造の認証、動的モニタリング、検証、識別、および開放され、かつ広範な使用のための一切のことに対する他の発明が技術において必要である。米国特許第８，２８６，２３６（Ｊｕｎｇら）は、後述のように、承認コードが、オブジェクト設計ファイルと関連すると確認することを含む、デジタル作成の一種である、アディティブ・マニュファクチャリングの製造制御システムを開示する。その上、アディティブ・マニュファクチャリングに取り組む現行技術のかなりの部分は、歯科品目の分野に特に取り組み、かつ特許請求する米国特許第７，９５７，８２４（Ｂｏｒｏｎｖｉｎｓｋｉｈら）のように、狭い作成モードに取り組む。それ故に、デジタル製造を一本化し、かつ統合する技術およびプラットフォームが必要であり、かつその機会がある。
【０００５】
もう一つの傾向において、３Ｄオブジェクト識別（例えば、米国特許出願公開第２００２／００４８３９６（Ｂｅｗｌｅｙら））システムが、技術において存在するが、特に３Ｄオブジェクト認証の分野は、なおも発生期であり、かつ３Ｄ作成商取引が栄えることを可能にするための（単なる識別の代わりに）認証システムおよび方法が必要である。現行技術は、クライアントの外部の参照によるデジタル認証（例えば、時間トラステッド外部参照）も含む。例えば、米国特許出願公開第２００２／００４８３９６（Ｓｔｏｈｗｉｇら）。かかる認証のデジタル作成および３Ｄ製造オブジェクトへの応用は、現発明が取り組む複雑かつ独特な必要性を有する。
【０００６】
現行技術における他の文献は、３Ｄモデル不一致補正（米国特許第８，１７５，７３４（Ｆｏｒｅｌら））およびデータ補間（米国特許第７，９１７，２４３（Ｋｏｚｌａｋら））のような３Ｄプリント（デジタル作成の一形式）の特有の側面を扱っている。文献は一般的に、本発明に開示されるようなデジタル作成および３Ｄプリントソフトウェアインフラストラクチャおよび管理に対する包括的かつ首尾一貫したアプローチを示していない。
【０００７】
米国特許第８，２８６，２３６（Ｊｕｎｇら）は、データファイルに基づき製造するための広範囲な「承認」手段をカバーする−したがって、範囲は、アディティブ・マニュファクチャリングも越えて、押出、射出、スタンピング、ダイカスト、プリント、塗装、刺青のような、かつ「皮膚、織物、食用物質、紙およびシリコンプリント」を含む材料を用いる作成方法にまで及ぶ。この特許は、ファイルを作成装置に承認および配送する方法を詳述するのみであり、かつ作成モニタリングまたは最終オブジェクト認証に取り組まない。その上、Ｉｎｔｅｌｌｅｃｔｕａｌ  Ｖｅｎｔｕｒｅｓ特許は、認証コードを全てのオブジェクトデータファイルと関連付けることを提案する。この特許によれば、全ての製造装置は、この認証コードを受信するように構成されるべきであり、かつオブジェクト設計ファイルとインタフェースで接続することを、製造装置がそれを行うときにのみ可能にする。このことは、オブジェクト設計ファイルの一部を製造装置に、ファイルに関する要求に応じた時点で配送するだけである、本出願に記載されたデジタル認証方法と全く異なる方法である。米国特許第８，２８６，２３６は、本発明のように、幾つかのファイルのみがキーを必要とする並行した出入り口を提供するよりもむしろ、作成される全てのファイルがキーを必要とするロックされたドアを装置に埋め込むことを本質的に提案する。
【発明の概要】
【発明が解決しようとする課題】
【０００８】
作成設計および／または作成オプションの入力を提供する１つ以上のソースによる１つ以上の作成装置からのデジタル作成を管理するシステム、方法およびプログラム製品が、開示される。
【課題を解決するための手段】
【０００９】
実施形態では、デジタル作成システムは、三次元オブジェクトを製造する装置であり得るデジタル作成装置を含み得る。システムは、少なくとも１つ以上のプロセッサと、非一時的コンピュータ可読メモリとを有してもよい、デジタル作成管理プラットフォームを更に含み得る。デジタル作成管理プラットフォームは、オブジェクト設計ファイルを含む第１データストリームを受信するように構成されてもよい。作成管理プラットフォームは、第２データストリームを１つ以上の作成装置のうちの少なくとも１つに伝送するように更に構成されてもよく、第２データストリームは、オブジェクト設計ファイルのうちの少なくとも一部を含む。作成管理プラットフォームは、フィードバックデータストリームを、デジタル作成状況データを少なくとも含む１つ以上の作成装置から受信するように構成されてもよい。
【００１０】
実施形態では、デジタル作成システムは、データを第１データストリーム、第２データストリーム、および／またはフィードバックデータストリームに沿って受信および／または伝送してもよい。
【００１１】
実施形態では、デジタル作成装置は、アディティブ・プリンティング装置、サブトラクティブ・ミリング装置、ＣＮＣ機械加工装置、またはデオキシリボ核酸（「ＤＮＡ」）プリンティング装置のうちの少なくともいずれかであってもよい。
【００１２】
実施形態では、データストリームは、不連続的に伝送されるデータのディスクリートパケットを含み得る。
【００１３】
実施形態では、第１データストリームは、１つ以上のユーザ電子装置またはコンピュータに由来してもよい。
【００１４】
実施形態では、デジタル作成管理プラットフォームは、作成装置速度、オブジェクト設計ファイルサイズ、作成装置との初期接続を確立する時間の期間、または作成装置ダウンロード速度のいずれかに少なくとも部分的に基づき、第２データストリームのバッファサイズを決定するように構成されてもよい。
【００１５】
実施形態では、オブジェクト設計ファイルの一部は、暗号化ファイルとして伝送されてもよい。
【００１６】
実施形態では、デジタル作成管理プラットフォームは、オブジェクト設計ファイルの他の部分が、デジタル作成装置のコンピュータ可読メモリに記憶されていないときにのみ、オブジェクト設計ファイルの一部を１つ以上の作成装置のうちの少なくとも１つに伝送するように構成されてもよい。
【００１７】
実施形態では、第２データストリームは、数例を挙げると、作成装置設定、作成量、作成材料要件、作成許容範囲要件、および／または作成予定表のような作成指示を伝送し得る。
【００１８】
実施形態では、フィードバックデータストリームは、１つ以上の作成装置、センサ装置、リーダ装置、コンピュータ、ユーザ電子装置、および／またはデータベースのいずれかから伝送され得る。
【００１９】
実施形態では、デジタル作成管理プラットフォームは、非三次元プリント可能ファイルでないオブジェクト設計ファイルを受信し、かつそれを三次元プリント可能ファイルに自動的に変換するように構成されてもよい。非三次元プリント可能ファイルは、コンピュータ支援設計（「ＣＡＤ」）ファイルであってもよい。
【００２０】
実施形態では、デジタル作成管理プラットフォームは、オブジェクト設計ファイルに挿入される電子透かしを生成するように構成されてもよい。
【００２１】
実施形態では、デジタル作成管理プラットフォームは、物理的透かし設計をオブジェクト設計ファイルに挿入するように構成されてもよい。
【００２２】
実施形態では、物理的透かしは、浮き出した形状、圧痕、またはその組み合わせのいずれかを含んでもよい。
【００２３】
実施形態では、物理的透かしは、作成されたオブジェクトの不正コピーから保護するように設計されてもよい。
【００２４】
実施形態では、デジタル作成システムは、三次元オブジェクトの物理的設計要素を検出するように構成された読み取り装置を更に含み得る。
【００２５】
実施形態では、読み取り装置は、検出された物理的設計要素を予想される物理的設計要素と比較することによって、オブジェクトをその作成後に認証するように構成されてもよい。実施形態では、物理的設計要素は、設計構造、材料または表面形状のいずれかに少なくとも部分的に基づき比較されてもよい。
【００２６】
実施形態では、読み取り装置は、作成管理プラットフォームまたはオブジェクト設計ファイルの所有者によって挿入される専有物理的透かしを検出するように構成されてもよい。
【００２７】
実施形態では、デジタル作成システムは、環境条件を検出するように構成されるセンサ装置を更に含み得る。実施形態では、環境条件は、地震活動、温度、湿度または汚染のいずれかであってもよい。
【００２８】
実施形態では、フィードバックデータは、作成期間、作成装置の接続品質、作成エラー、真正性データ、環境条件、または作成装置設定のうちの少なくともいずれかを含み得る。
【００２９】
実施形態では、デジタル作成システムは、三次元オブジェクトを製造する複数のデジタル作成装置と、少なくとも１つ以上のプロセッサおよび非一時的コンピュータ可読メモリを含むデジタル作成管理プラットフォームとを含み得る。デジタル作成管理プラットフォームは、複数のデジタル作成装置のうちの少なくとも一部に、インターネットのようなデータネットワークを介して接続され得る。デジタル作成管理プラットフォームは、オブジェクト設計ファイルを含む第１データストリームを受信するように構成されてもよい。プラットフォームは、第２データストリームを１つ以上の作成装置のうちの少なくとも１つに伝送するように構成されてもよく、第２データストリームは、オブジェクト設計ファイルのうちの少なくとも一部を含む。プラットフォームは、フィードバックデータストリームを、デジタル作成状況データを少なくとも含む１つ以上の作成装置から受信するように更に構成されてもよい。
【００３０】
実施形態では、デジタル作成システムは、データを第１データストリーム、第２データストリーム、および／またはフィードバックデータストリームに沿って受信および／または伝送してもよい。
【００３１】
実施形態では、作成管理プラットフォームは、複数の作成装置からのフィードバックデータストリームから共通フォーマットにデータを変換するように構成されてもよい。
【００３２】
実施形態では、作成管理プラットフォームは、作成管理プラットフォームで１つ以上のコンピュータからオブジェクト設計ファイルを受信し、作成管理プラットフォームによって、１つ以上の作成装置とのオブジェクト設計ファイルの互換性を決定し、作成管理プラットフォームによって、選択された作成装置の適切な作成装置設定を決定し、作成管理プラットフォームから選択された作成装置に、決定された作成装置設定を伝送し、かつ作成管理プラットフォームから選択された作成装置に、処理されたオブジェクト設計ファイルのうちの少なくとも一部を伝送するステップを実行してもよい。
【００３３】
実施形態では、作成管理プラットフォームは、選択された作成装置との互換性を確保するために、作成管理プラットフォームによってオブジェクト設計ファイルを処理するステップを更に実行してもよい。
【００３４】
実施形態では、作成管理プラットフォームは、作成管理プラットフォームによって、作成エラーの可能性を減少させるためにオブジェクト設計ファイルを処理するステップを更に実行してもよい。
【００３５】
実施形態では、オブジェクト設計ファイルを処理することは、作成管理プラットフォームによってオブジェクト設計特性を識別することと、オブジェクト設計特性のデータベースから類似した履歴的オブジェクト設計を確認することと、オブジェクト設計特性のデータベースから、類似した履歴的オブジェクト設計の作成からの履歴的作成データにアクセスすることとを含み得る。
【００３６】
実施形態では、オブジェクト設計ファイルを処理することは、履歴的作成データに少なくとも部分的に基づきオブジェクト設計ファイルを修正することを更に含み得る。
【００３７】
実施形態では、オブジェクト設計ファイルを処理することは、１つ以上のデータベースからアクセスまたは受信された外部データに少なくとも部分的に基づきオブジェクト設計ファイルを修正することを更に含み得る。
【００３８】
実施形態では、オブジェクト設計ファイルを処理することは、入力装置を介して、かつ／またはダウンロード可能なソフトウェアもしくはウェブサイトのユーザインタフェースを介して、追加のユーザ入力に少なくとも部分的に基づきオブジェクト設計ファイルを修正することを更に含み得る。
【００３９】
実施形態では、作成管理プラットフォームは、１つ以上のデータベース中で作成管理プラットフォームによって、オブジェクト設計ファイルと、処理によってそれに実行された修正と、フィードバックデータストリームから受信された作成フィードバックデータとを含むオブジェクト設計ファイルデータを記憶するステップを更に実行してもよい。
【００４０】
本発明の代表的な実施形態は、添付図面を参照して記載される。
【図面の簡単な説明】
【００４１】
【図１】図１の１００は、オブジェクトの元の設計所有者と、最終消費者との間のオブジェクトファイルおよびオブジェクトの全体的フローを例示する。
【００４２】
【図２】図２の２００は、全ての情報が、システムのプラットフォーム上で中央に保持される全体的システムアーキテクチャを例示する。
【００４３】
【図３】図３の３００は、大部分の情報が、設計所有者によって保有および保持される、代替的な全体的システムアーキテクチャを例示する。
【００４４】
【図４】図４の４００は、元の設計所有者からの所与のオブジェクト設計ファイルが、作成装置によって作成されるべき適正な形状にあるか確認し、かつ次に適正な形状にない場合にファイルを修正するために行動を起こすデータ準備モジュールプロセスを例示する。
【００４５】
【図５】図５の５００は、システムプラットフォームからオブジェクト設計ファイルを得るために作成装置の所有者によって行われる発注進捗モジュール方法を例示する。
【００４６】
【図６】図６の６００は、オブジェクト作成ファイルをシステムプラットフォームから作成装置に配送し、かつ不正行為を検出するために後続オブジェクトの作成を遠隔でモニタする作成データモニタリング（ＰＤＭ）モジュール方法を例示する。
【００４７】
【図７】図７の７００は、オブジェクトが作成された後に、オブジェクトの性質を検出し、かつ次にオブジェクトの真正性を確認するためにリーダ装置およびシステムプラットフォームによって行われる全体的認証モジュール方法を例示する。
【００４８】
【図７ａ】図７ａの７００ａは、認証モジュール方法のリーダモジュール方法部分を例示する。
【００４９】
【図７ｂ】図７ｂの７００ｂは、認証モジュール方法の走査モジュール方法部分を例示する。
【００５０】
【図７ｃ】図７ｃの７００ｃは、認証モジュール方法の署名リーダモジュール方法部分を例示する。
【００５１】
【図８】図８の８００は、システムプラットフォームおよび関連ハードウェア、リーダ装置、センサ装置、および作成装置の間に存在し、オブジェクト特有、装置特有、およびプラットフォーム特有の情報をこれら当事者間で安全に送信する送受信モジュール方法を例示する。
【図８ａ】
【図８ｂ】
【図８ｃ】
【図８ｄ】
【００５２】
【図９】図９の９００は、オブジェクトが、作成された後にオブジェクトの性質を検出し、かつオブジェクトの真正性を確認するために利用されるリーダ装置を例示する。
【００５３】
【図１０】図１０の１０００は、内部および外部装置特有、および環境特有の性質を測定することによってオブジェクトの作成をモニタするために使用されるセンサ装置を例示する。
【００５４】
【図１１】図１１の１１００は、他の図中の要素の凡例である。
【発明を実施するための形態】
【００５５】
本発明は一般的に、作成設計および／または作成オプションの入力を提供する１つ以上のソースによる１つ以上の作成装置からのデジタル作成を管理するシステム、方法およびプログラム製品に関する。
【００５６】
開示された発明は、デジタル製造および／または他のデジタル作成に関連した新規特徴を開示する。デジタル製造は、アディティブ・マニュファクチャリング、三次元（「３Ｄ」）プリント、コンピュータ数値制御（「ＣＮＣ」）フライス加工または機械加工、およびデジタルモデル（１以上のファイル）からのいずれかの形状の固体オブジェクトの作成を伴う他のいずれかの種類の作成を含むが、それらに限定されない。デジタル作成は一般的に、連続した材料層が、様々な形状で敷設されるアディティブ・プロセスを、かつ場合によっては層が除去されるサブトラクティブ・プロセスを使用して達成される。種々のデジタル作成装置が、かかるデジタル作成操作を実行してもよい（例えば、数例を挙げると、３Ｄプリンタ、フライス盤、および／またはコンピュータ制御の旋盤）。
【００５７】
実施形態では、物理的出力に対して論じられるが、本明細書に記載されたデジタル作成システムおよび方法は、非物理的出力または顕微鏡的出力に、例えばかかる出力を作成可能な作成装置によるＤＮＡ構造および非自然発生形状の他の化学的または生物学的組成の作成に応用され得る。かかる場合に、本発明の応用は、本発明が例えば家庭および作業場で物理的オブジェクトの作成を促進、モニタおよび／または保護するために使用され得るのと同様に、家庭内もしくは患者に近い位置で薬剤および／または他の商品の作成の促進、モニタリングおよび／または保護を例えば含み得る。
【００５８】
本発明は、１つ以上の作成装置、１つ以上のコンピュータ、１つ以上のユーザ電子装置（例えば、数例を挙げるとスマートフォン、ＰＤＡ、タブレットコンピュータ）、１つ以上の他の装置（例えば、数例を挙げるとリーダ装置またはセンサ装置）および／または１つ以上のデータベースに（例えば、インターネットのようなデータネットワークを通して）動作可能に接続されてもよいデジタル作成管理プラットフォームを開示する。デジタル作成管理プラットフォームは、少なくとも１つ以上のプロセッサと、非一時的コンピュータ可読メモリとを含み得る。プラットフォームは、複数のプロセッサおよび／または複数のコンピュータに配布され得る。プラットフォームは、デジタル作成システムに参加する１つ以上のコンピュータに配布されたソフトウェアを通して作られてもよい。実施形態では、プラットフォームは、１つ以上の集中サーバを含み得る。実施形態では、プラットフォームは、ダウンロード可能なソフトウェアまたはウェブサイトを通してアクセスされる１つ以上のサーバであり得る。
【００５９】
デジタル作成管理プラットフォームは、１つ以上のオブジェクト設計ファイルを含む入力データストリームを受信し得るか、または受信するように構成され得る。プラットフォームは、デジタル作成オプションに関するデータを含んでもよい追加の入力データストリームを受信し得るか、または受信するように構成され得る。プラットフォームは、数例を挙げると作成装置、リーダ装置、センサ装置、および／またはコンピュータまたはデジタル作成装置もしくはその操作者に関連した他のユーザ電子装置に由来してもよいフィードバックデータストリームを同様に受信し得るか、または受信するように構成され得る。プラットフォームは、前述の実体または装置のうちの少なくともいずれかに対して通信でき、そのことは、データを伝送することを含んでもよい。したがって、プラットフォームは、１つ以上のデータストリームを１つ以上の作成装置に伝送でき、その１つ以上のデータストリームは、数例を挙げるとオブジェクト設計ファイル、オブジェクト設計ファイルの一部、デジタル作成指示、デジタル作成基準またはガイドライン（例えば、期限の情報）のいずれかを含み得る。実施形態では、プラットフォームは、システム内の参加者または装置の間でデータストリームまたは伝送を調整するために、ルーティング指示を中継、発送、および／または提供し得る。
【００６０】
フィードバックデータは、いずれも１つ以上のデータベースに記憶されてもよい、かつ／または１つ以上のデータベースからアクセスされてもよい、履歴的データ、試験データ、および／または外部ソースもしくはレポジトリから提供されるデータに少なくとも部分的に基づいてもよい。本明細書に記載されているように、デジタル作成管理プラットフォームは、数例を挙げるとデジタル作成状況データ、作成品質データのような作成分析データを含み得る、フィードバックデータを受信し得る。例えば、３Ｄプリンタ用の内部センサからのフィードバックデータは、数例を挙げるとプリントヘッド位置、プリントヘッド温度、ベッド温度、および／またはレーザ温度を表示してもよい。フィードバックデータは、少なくとも部分的に受信データからプラットフォームによって測定、処理され、かつ／または導かれてもよい。例えば、プラットフォームは、プラットフォームによって作成装置に伝送される指令に関する作成装置の応答時間または処理時間を決定してもよい。プラットフォームは、数例を挙げると地震または他の環境条件、材料品質を検出してもよい外部センサからフィードバックデータを受信し得る。読み取り装置、スキャナおよび／またはセンサからのフィードバックは、作成品質に関するデータを含み得る。他のフィードバックデータは、環境条件のデータベースのような外部データベースから受信されてもよい。環境条件は、数例を挙げると湿度、周囲温度、および／もしくは風速のような気象条件、並びに／または地震測定のような地質学的条件を含み得る。プラットフォームによるフィードバックデータの受信および使用の種々の代表的事例が、本明細書で論じられる。
【００６１】
本発明は、媒介装置上にデータを記憶せずにデータをストリーム配信する方法による、設計者および知的財産の所有者から製造装置へのオブジェクト設計ファイルの受信および伝送を含むオブジェクト設計ファイルの安全な伝送を提供する。本発明は、部分的オブジェクト設計ファイルのみを処理用に送信することによる安全なデータ伝送も可能にし、オブジェクト設計ファイル部分が、コピーされないか、または他のいずれかの不正使用のために使用されないことを確保する。オブジェクト設計ファイルは、デジタル作成のための情報を含むいずれかの種類のデータファイルを含むが、それに限定されない。オブジェクト設計ファイルの代わりに、本発明は、オブジェクトデータファイル、オブジェクト作成ファイル、または作成（３Ｄ）オブジェクトの全体の一部のいずれかのデジタル表記を表す他のいずれかのファイルも使用し得る。オブジェクトデータファイルおよびオブジェクト設計ファイルは、以下で別個の用語として使用されるが、かかるファイルの命名は、本発明の種々の実施形態では重複し得る。
【００６２】
本発明は、例えばアディティブ・マニュファクチャリング・ファイル（ＡＭＦ）フォーマットおよび標準平面充填言語（ＳＴＬ）のような、但しそれらに限定されない、デジタル作成における現行技術の標準およびファイルタイプと互換性がある。本発明は、他のオブジェクト設計およびオブジェクトデータファイル標準に適合でき、かつ将来のファイル標準の基礎として役立ち得る特徴も開示する。
【００６３】
本発明は、部分的オブジェクト設計ファイルが、将来の処理のために次の部分を送信する前に、装置から全体として除去されることを確保することも提供する。実施形態では、デジタル作成管理プラットフォームは、作成装置上でオブジェクト設計ファイルの先行部分またはいずれかの部分の欠如を検出した後、またはオブジェクト設計ファイルの先行部分または全ての記憶された部分の除去の確認を受信した後、オブジェクト設計ファイルの連続した部分を作成装置に伝送するだけであってもよい。
【００６４】
標準暗号化プロトコルは、本発明の一部として使用され得る。本発明は、いかなる外部からの干渉からも保護される安全な遠隔接続を確立すること、およびインターネットを通して一定のトラフィックフローを維持することも提供する。このことは、速度が、所定の最低レベル未満に下がるときに、同じ装置またはネットワーク上の他のソフトウェアがインターネットにアクセスすることを防ぐことによって達成され得る。
【００６５】
本発明は、各オブジェクト設計ファイルの履歴を作る多用途データベースも提供する。履歴情報は、作成データ、使用される材料、環境因子、作成時の機械の状態、作成後の操作、および輸送情報を含むが、それらに限定されない。本発明は、画像オントロジーまたは他のメタデータの自動識別も提供し、かつ次に、オブジェクトの履歴の一部として次に記憶される、オブジェクトのオントロジーマッピングにこの情報を取り込む。かかるオブジェクト情報（オブジェクト設計ファイルの構築中に識別される特性に対応する、一般的オブジェクト設計の特徴、並びに必要なオブジェクトの特徴、そのオントロジーを含む追加メタデータ）は、あるいは、本発明のデータベースに手動により入力され得る。
【００６６】
本発明は、新規のオブジェクト設計の特徴を更に速く、かつ増加した特異性により決定するために、多用途データベース中の入力を、構築される全ての新規オブジェクト設計ファイルと比較することを提供する。本発明は、設計がすでに登録されているかを決定するために、多用途データベース中の入力を、構築される全ての新規オブジェクト設計ファイルと比較することも提供する。本発明は、走査されたオブジェクトを認証するために、オブジェクトファイルを、唯一のデジタルおよび／または物理的署名（オブジェクト設計ファイルに統合された材料および設計の特徴）と同様に比較し得る。
【００６７】
本発明は、承認された当事者が、氏名、設計者氏名、タグ、品目番号、および色のような、但しそれらに限定されないオブジェクト設計ファイルと関連した設計および非設計データ基準の両方を利用することを可能にする、多用途データベースの検索も提供する。データベースは、暗号化によって、またはさもなければユーザ毎の唯一のアクセスコードおよびアクセスロギングによって安全にされ得る。例えば、ユーザは、数例を挙げると電子メールアドレス、ログイン名、パスワード、暗証番号、および／またはバイオメトリック走査（例えば、親指の指紋）を使用して、デジタル作成管理プラットフォームに関連したデータベースおよび／またはソフトウェアにアクセスしてもよい。アクセストークンが、安全なアクセスシステムの一部として用いられてもよい。
【００６８】
本発明は、他のファイルタイプを、本発明に適合するオブジェクト設計ファイルに変換し、（材料および色のような）データ製造の実務をオブジェクト設計ファイルに統合し、かつ意図された作成オブジェクトをサポート可能であるとしてオブジェクト設計ファイルを検証する規定のような、但しそれらに限定されない新規特徴も開示する。
【００６９】
本発明は、オブジェクトリサイジング、再構成および最適化も提供する。それは、圧縮強度および他の物理的特性のような、実際のオブジェクトの特徴の動的変化および評価および特徴付けを可能にする。本発明は、独自にオブジェクトの一部を作成し得る小さいファイルへのオブジェクト設計ファイルのスライスも提供する。本発明は、これらのプロセス、および本明細書に言及された他のプロセスが、連続プロセスで着手されることを可能にし、そのことは、類似した目標を達成するために、ユーザが複数の別個の製品を設置および使用することを必要とする、現在の断片的なエコシステムと対照的である。実施形態では、全てのデジタル作成管理は、複数のデジタル作成ステップを管理し、集中させ、かつ／または能率的にし得る単一のデジタル作成管理プラットフォームを介して実行されてもよい。
【００７０】
本発明は、オブジェクト設計ファイル所有者または設計ファイル所有者によって承認されたその他の人に設計および／または作成の状況に関する最新情報も提供する。データベースは、全ての次の特徴、とりわけ
・  各ダウンロードの情報
・  各ダウンロードの支払い明細
・  所有者らによってアップロードされた作品の各プリントの状況
・  （正確であると認められた作品に）適用される認証
・  以前入力された情報を編集する能力
・  潜在的な知的財産の違反
に関して問い合わせを行われ得る。
【００７１】
かかる情報は、オブジェクト設計ファイル所有者または設計ファイル所有者によって承認されたその他の人に提供でき、かつ認証、検証および問い合わせ権が、このように配布され得る。リスト中の最初の２つは、概して非設計所有者に配布される唯一の情報であるが、このシステムは、所望の通りにカスタマイズされ得る。
【００７２】
顧客／受取人側で、本発明は、オブジェクト設計ファイル購入者に、データベースから同様に問い合わせが行われる情報の中から次の特徴を提供し得る：
・  各購入の状況
・  請求書
・  支払い領収書
・  発注履歴
・  設計、強度および組成に関する技術情報を含む完全なトレーサビリティ文書
【００７３】
本発明は、アクセスコード、セキュリティ、支払い、価格設定、およびオブジェクト設計ファイルに影響を与えることがある他のいずれかの設定に対する訂正も可能にする。
【００７４】
本発明は、作成の動的更新およびモニタリングも提供し、その結果例えばエラーパラメータに基づき、作成パラメータは、変更され得るか、または作成は、停止され得る。本発明は、作成プロセス中の環境および他の局所因子のモニタリング、およびそれを構築されたデータベースに報告すること（上記データベースの記載を参照）を可能にする。それは、作成プロセス中の作成および機械状態情報のモニタリング、およびそれを点の下で構築されたデータベースに報告すること（上記データベースの記載を参照）も可能にする。報告された情報は、作成に対する決定を行うために利用され、かつ承認された適切な作成が起きることを確保する。
【００７５】
本発明は、知的財産を制御する非制限的手段、および知的財産権を認め、かつ管理することを可能にする独自かつ新規な認証手段を提供する。本発明は、所有権の完全な階層をオブジェクト設計ファイルに関連付けるために、オブジェクト設計ファイルのいかなる所有者または貢献者も、並びにその構築および配布に対する彼等の貢献も識別する能力を含む。したがって、本発明によるデジタル作成管理プラットフォームは、知的財産または他の所有権を割り当て、かつ／または支払いの分担率を決定するために使用されてもよい。
【００７６】
本発明は、この決定に影響を与えるために購入前に使用され得る試験オブジェクト設計ファイルの配備も可能にする。作成されたオブジェクト自体の中の認証手段に関して、本発明は、追加のセキュリティを提供するために、オブジェクトの特徴の必要な限度内でオブジェクトの層材料の組成を識別および変更し得る。このことは、構築された各層、または幾つかの層の透かし入れまたはステガノグラフィのような技術を用いる唯一の識別子を挿入することを含む。部外者によってコピーされ得ないかかる透かしは、オブジェクトを覆い隠すために使用されてもよく、したがってオブジェクト全体を走査することを可能にする。このことは、機能的オブジェクトをコピーするいかなる試みも無効にし得る。本発明のデジタル作成管理プラットフォームは、どこで、またはいかにして透かしを検出するかという既存の知識なしには検出され得ない、または容易に検出され得ない透かしを挿入してもよい。かかる透かしは、オブジェクト中の不規則な角度または位置に挿入されてもよく、特殊化されていない走査装置からそれを遮蔽してもよいか、または達成不可能な十分な分解能の走査を行ってもよい。したがって、承認された走査装置のみに、透かしを検出する指示が提供されてもよい。
【００７７】
作成プロセス中の機械状態、局所および環境因子に関する情報を記録する間に、本発明は、予想される作成状態のライブラリを構築し、かつ作成されたオブジェクト品質のライブラリを構築するために、この情報を、同じ時期にわたって予想される状態と比較し得る。本発明は、最終的な独自の暗号化認証層も構築でき、全ての受信した情報が予想された通りである場合にのみ発行される。かかる認証層のいずれかの構築は、作成が行われるにつれ動的に行われ得ることに注目されたい。
【００７８】
本発明は、特有のハードウェアも含む。かかるハードウェアは、オブジェクトを走査し、かつ解凍するためにユーザに特有の独自の指令スキームを使用して、認証のためにオブジェクト設計ファイルに統合された高忠実度オブジェクトの特徴（幾つかは、人間の感覚では不可視である）を識別し得る。追加のハードウェアは、環境（例えば、熱、湿度、動作、震動）および他の局所因子をモニタして、これらのパラメータを動的に報告する。オブジェクト購入者は、正確な作成モニタリングデータを提供するために、その作成設備、または作成機自体の中にかかるハードウェアを設置してもよい。
【００７９】
デジタル作成管理プラットフォームのための補助アプリケーション
本発明は、デジタル作成装置の管理システムの頂部に実装されるか、またはその一部として統合されてもよい１つ以上のアプリケーションを提供する。かかるシステムは、デジタル作成操作の遠隔モニタリングおよび制御のために構成されてもよい、デジタル作成管理プラットフォームを含み得る。デジタル作成管理プラットフォームは、１つ以上の補助アプリケーションをデジタル作成プロセスに実装および／または統合してもよい。デジタル管理プラットフォームは、物理的に分離され、かつ／または別個の実体によって所有されるが、データネットワークを通して接続されてもよい、１つ以上のコンピュータまたはコンピュータシステムを含んでもよい。実施形態では、ソフトウェアまたはウェブサイトインタフェース（例えばＵＲＬでアクセス可能な）は、コンピュータが、（例えば、数例を挙げると設計ファイルをアップロードし、追加のデジタル作成データを提供し、かつ／またはデジタル作成状況もしくはフィードバックデータを受信することによって）デジタル作成管理プラットフォームに参加することを可能にするために用いてもよい。デジタル作成管理プラットフォームは、データを発送、処理および／または記憶するために中央サーバを更に含んでもよい。
【００８０】
デジタル作成のための補助アプリケーションは、デジタル作成されたオブジェクトまたはオブジェクト設計ファイルの配布管理、作成管理、作成報告、および／またはデジタル作成分析を少なくとも提供してもよい。そのために、配布管理のための補助アプリケーションは、数例を挙げると支払いゲートウェイ、デジタルフォーマット変換、作成制限、設計アクセス、輸出制限フィルタリング、および／または入札プラットフォームを含み得る。作成管理のための補助アプリケーションは、数例を挙げるとスライシングツール選択、デジタル作成装置設定をクラウドソーシングすること、追加のデータを提出すること、自動アラート（例えば、供給原料供給に関する）、キューおよび／またはアレイ管理、ベッドレイアウト、および／またはフロア管理を実行し得る。作成報告のための補助アプリケーションは、数例を挙げると防水点検、プリンタ互換性評価、写真測量、遠隔品質保証、証明および／または索引付けを含み得る。作成分析のための補助アプリケーションは、数例を挙げると顧客インタフェース、作成障害報告、管理情報システムアラート、発注追跡、作成後データ収集、保証管理を伴い、かつ／またはステガノグラフィを読み取り、かつ／または書き込み得る。
【００８１】
これらのアプリケーションは、本明細書で論じられるように、デジタル作成管理プラットフォームと関連した１つ以上のプロセッサで動くコンピュータコードによって実装されてもよい。アプリケーションは、遠隔または局所ソース（例えば、数例を挙げると、オブジェクト設計所有者に関連したコンピュータ、作成装置、読み取り装置、センサ）からの１つ以上の入力データストリームからデータを受信してもよい。アプリケーションは、データをデジタル作成装置および／または１つ以上の他のコンピュータもしくは装置に出力および／または伝送してもよい。実施形態では、入力および／または出力データストリームは、データのパケットまたは他の離散伝達を含んでもよく、かつ必ずしもデータの連続したストリームを含まなくてもよい。データストリームは、インターネットのようなデータネットワークを介して、イントラネットを介して、他の無線接続（例えば、数例を挙げるとブルートゥース、Ｗｉ−Ｆｉ、デジタルセルラ、ＰＣＳ、ＣＤＰＤ、ＧＰＲＳ、ＣＤＭＡ２０００、Ｅｖ−ＤＯ、ＨＳＰＡ、ＵＭＴＳ、または衛星）を介して、有線接続（例えば、数例を挙げるとＰＯＴＳ（電話）、（ハイブリッドファイバ同軸のような）ファイバ、またはｘＤＳＬ）を介して、かつ／または直接的アップロード（例えば、ディスク、ハードドライブ、またはＵＳＢドライブから）を介して受信および／または伝送されてもよい。インタフェースハードウェアおよび／またはソフトウェアは、数例を挙げるとイーサネット（登録商標）インタフェース（例えば、ＴＣＰ／ＩＰスタックを支持する）、Ｘ．２５インタフェース、Ｔ１インタフェース、および／またはアンテナを含んでもよい。
【００８２】
実施形態では、デジタル作成管理プラットフォームは、数例を挙げると材料データベースまたは作成装置設定のような、デジタル作成に関するいかなるデータを含んでもよい、１つ以上の外部データベースにアクセスし得る。かかる外部データベースは、数例を挙げると作成装置製造業者、作成装置小売業者、オンラインフォーラム（例えば、３Ｄプリントブログ）、作成装置所有者または操作者、業界団体、および／または標準機構によって提供されてもよい。
【００８３】
支払いゲートウェイは、作成費用の自動計算、並びに請求、支払いの取扱い、および／または最終顧客が、作成管理プラットフォームから離れる必要なしに、オブジェクトの作成を開始できるように、最終顧客への請求書送付プロセスを可能にするために、プラットフォームに統合されてもよい。
【００８４】
デジタルフォーマット変換のための補助アプリケーションは、オブジェクトファイルまたは他の設計ファイルを処理し、かつそれを異なるフォーマットに変換でき、標準化入力フォーマットまたはファイルタイプの必要性を取り除き、かつ多数のソフトウェアプログラムまたはシステム（例えば、種々のＣＡＤソフトウェア）からの入力を可能にする。１つ以上のコンピュータ上で動くデジタルフォーマットアプリケーションは、入力データストリームから入力設計ファイルを受信し得る。ファイルは、１つ以上のデータベースを含む非一時的コンピュータ可読メモリ内に記憶されてもよい。１つ以上のコンピュータは、フォーマットアプリケーションのうちの少なくとも一部を含むコンピュータコードを使用して、ファイルタイプを識別し、かつ１つ以上のデジタル作成装置との互換性を決定し得る。互換性に欠けるか、または更なる互換性もしくは最適化が望ましいまたは必要とされる場合、１つ以上のコンピュータは、設計ファイルを他のファイルタイプに変換し、かつ／またはさもなければ、設計ファイルを処理して、適切な作成装置互換性を有するファイルを作成してもよい。その新規設計ファイル（例えば、オブジェクトデータファイル）は、製造のために１つ以上の作成装置に伝送してもよい。実施形態では、異なるデジタルフォーマットに変換する決定は、ユーザ入力（例えば、キーボードまたは他の入力装置を使用して）、事前に定義された互換性規則、目的地または意図された使用の知識、および／または設計ファイルのコンピュータ分析、オブジェクト特性、および／または作成装置の性質に基づいてもよい。
【００８５】
デジタルフォーマット変換アプリケーションは、例えば数例を挙げると作成されるオブジェクトのタイプ、データ使用要件、履歴的データ使用に基づき、いずれの装置または目的にデータが使用されるかを自動的に識別することによって、デジタル作成装置から受信されるフィードバックデータの変換も含み得る。例えば、異なるデジタル作成装置の出力は、種々のプリンタの出力をよりよく理解するために、または統合基幹業務ソフトウェアのような、他のソフトウェアプラットフォームに入力されるか、または読み取られ得る標準化フォーマットに変換してもよい。デジタルフォーマット変換プロセスは、変換プロセスの整合性を確認するために、元のファイルまたはデータと、出力ファイルまたはデータとの比較を含み得る。
【００８６】
作成またはプリント制限のための補助アプリケーションは、オブジェクトの作成を制限し得るか、またはオブジェクトの作成を種々の基準に基づきある種の作成装置または設備に向け得る。プリント制限のプロセスは、１つ以上のコンピュータによって作成基準並びに作成装置もしくは設備特性を識別することを伴い得る。作成基準は、数例を挙げると作成されるオブジェクトのタイプ、作成される量、時間枠、所望の費用、および／または顧客（もしくは他のユーザ）情報および／または提携先を含み得る。作成装置または設備特性は、地理的位置のような位置特性、証明（例えば、国際標準化機構（「ＩＳＯ」）標準の遵守の、または特定の会社もしくは業界団体からの証明）、組合の会員資格、貿易団体、または他の機構、作成装置のタイプ、訓練、作成装置管理者または操作者の会員資格の証明、および／または政府認可もしくは制限を含み得る。作成装置または設備特性は、数例を挙げると作成装置利用可能性、作成キュー、および／または予期される作成時間のような現状も含み得る。データの意図された目的地の知識は、かかる位置特性を自動的に決定するために使用されてもよい。かかる特性および／または作成基準は、１つ以上のデータベース（例えば、作成装置特性の）から、作成装置操作者から、かつ／または作成装置からアクセスされてもよい。プリント制限プロセスは、次に１つ以上のコンピュータによる、設計所有者によって必要とされる、または要求される基準および特性と、作成設備または装置で利用可能なそれとの比較を伴ってもよい。比較結果にしたがって、デジタル作成管理プラットフォームは、数例を挙げるとオブジェクト設計ファイルのデジタル作成装置への転送を許可してもよく、設計ファイルを特定の設備または作成装置に向けてもよく、作成を遮断してもよく、設計を変更してもよく、かつ／または別個のもしくは追加の指示を（例えば、作成装置もしくは作成装置操作者に）生成および／または発行してもよい。実施形態では、なされてもよい行動は、将来の作成の試みのための規則を形成するために使用されてもよい、前の作成の試みの成功、障害または他の状況の報告によって影響を与えられ得る。例えば、オブジェクトが、あるタイプの３Ｄプリンタにプリントすることに失敗したならば、設計は、将来のプリントの試み中に編集されてもよいか、またはその同じタイプの３Ｄプリンタ上でのプリントを遮断されてもよい。
【００８７】
設計アクセスのための補助アプリケーションは、以前に言及した階層システムのアプリケーションに相当する。システムは、第三者および／または他の利害関係人が、必要に応じて設計の使用を通知、および／または補償されることを確保しながら、第三者によって提出されるような設計へのアクセスを提供し得る。かかる設計にアクセスする当事者は、数例を挙げるとキーワードによる検索、二次元画像、カテゴリー、所有者または設計者情報、識別番号、および／または関連したもしくは類似したオブジェクトの三次元走査を含み得る種々の方法でオブジェクトまたはオブジェクト設計ファイルを見出してもよい。
【００８８】
輸出制限フィルタリングのための補助アプリケーションは、設計が、政府輸出規制の範囲に含まれるかを決定するために、設計を評価してもよい。デジタル作成管理プラットフォームは、オブジェクト設計ファイルに索引を付け、かつその特性（例えば、物理的特性）、および／または１つ以上のデータベース中のいかなる輸出制限も記憶する。プラットフォームは次に、類似したオブジェクト（例えば、類似した物理的形状）が、輸出規制されているか決定するために、データストリームからのファイルを、記憶された特性と比較してもよい。実施形態では、メタデータは、入力データストリーム中のオブジェクトのタイプを示すためにユーザによって提供されてもよく、そのメタデータは、輸出制限があるか決定するために、一般法令に対して比較されてもよい。もしあるならば、デジタル作成管理プラットフォームは、オブジェクト設計所有者またはオブジェクト設計ファイルの購入者に、デジタルであってもよい適切な登録および／または文書業務を提供してもよく、かつプラットフォームは、かかる文書業務を仕上げるためのガイダンス（例えば、段階的な指示）を提供してもよい。
【００８９】
入札プラットフォームのための補助アプリケーションは、オブジェクト設計所有者が、その設計または設計ファイルを販売またはライセンス許諾するために、またはオブジェクト設計所有者が、デジタル作成装置の使用に入札するまたは代価を支払うために市場またはオークションプラットフォームを提供してもよい。後者の場合に、オブジェクト設計所有者は、入札プラットフォームによってリストに記載されてもよい、複数のクラウドソーシングされた作成装置のいずれかを使用してそのオブジェクトを作成する能力に入札し得る。したがって、入札プラットフォームは、特性およびデータベース識別子を含んでもよい、作成装置のリストを１つ以上のデータベースに記憶してもよい。実施形態では、作成装置は、デジタル作成管理プラットフォームに関連して使用されるので、入札プラットフォームは、作成装置をデータベースに自動的に加えてもよい。入札プラットフォームは、数例を挙げると作成装置の利用可能性および／または現在の作成キューに基づきリストを作成するために、作成装置を選択してもよい。実施形態では、作成装置所有者は、その装置をリストに加えてもよい。入札プラットフォームは、ユーザが、自身に代わって自動的に入札を実行する基準を入力するインタフェースを提供してもよい。プラットフォームは、入力基準に基づき１つ以上の規則を生成し、かつ対応するユーザの自動入札を制御するために規則を使用してもよい。入札プラットフォームは、作成タスクを作成装置に向ける代替的な方法を提供してもよい。データは、使用される作成装置のタイプおよびその使用程度に関して収集および／または分析されてもよい（例えば、最も使用される３Ｄプリンタを追跡する）。データは、プリントされるオブジェクトのタイプ、並びにオブジェクト設計所有者の満足度、プリント速度、および他のパラメータに関して収集および／または分析されてもよい。かかるデータは、デジタル作成装置のネットワーク中のデジタル作成タスクの割り当てを改善するために使用されてもよい。
【００９０】
作成管理アプリケーションは、スライシングツール選択のための補助アプリケーションを含み得る。デジタル作成管理プラットフォームは、スライシングツールを選択および／またはその選択を最適化してもよく、その選択は、類似したオブジェクトおよび／またはその作成からのフィードバックデータに関する履歴的データに基づいてもよい。したがって、オブジェクト特性（例えば、形状）、スライシングツール使用データ（例えば、どのスライシングツールが使用されたか）、および／または作成装置フィードバックデータ（例えば、数例を挙げると作成エラーがあったか、再スライスが必要とされたか、作成が不満足であったか）は、１つ以上のデータベースに記憶されてもよい。１つ以上のプロセッサ上で動くコンピュータコードは、適切なスライシングツールまたは最適なスライシングツールを決定するために、瞬時オブジェクト設計ファイルを評価し、かつそれをデータベース中の類似した設計ファイルまたは類似したオブジェクト設計と比較してもよい。
【００９１】
作成装置（例えばプリンタ）設定のための補助アプリケーションは、１つ以上のデータベースに記憶された作成装置モデルに関する公的に利用可能なデータおよび／または履歴的に生成したデータに基づく適切な作成装置設定の自動生成を伴ってもよい。履歴的に生成したデータは、種々の作成装置モデルの正確な設定に関する、作成管理プラットフォームが記録した履歴的データ、並びに例えば作成されるオブジェクトのタイプに基づき所与の作成装置モデルの正確な設定への修正に関して作成管理プラットフォームが記録した履歴的データを含み得る。この点に関して、履歴的作成装置フィードバックデータは、作成装置モデルおよび設定と一緒に記憶されてもよい。専門コンピュータコードは、関連データベースにアクセスし、適切な作成装置設定を決定してもよい。作成装置モデル情報に加えて、コンピュータコードは、少なくとも、作成されるオブジェクトのタイプおよび／または作成に影響を与えることがある環境条件（例えば、周囲温度）を入力として使用してもよい。作成装置設定は、このようにしてデータネットワークを通してアクセスされ得るプリンタ設定の様々なデータベースからクラウドソーシングされ得る。実施形態では、作成装置所有者または操作者は、正確な設定によってプリンタを自動的に設定するか、または受信するために、作成管理プラットフォームと関連したソフトウェアアプリケーション（例えば、ウェブサイトユーザインタフェースまたはダウンロード可能なソフトウェア）に作成装置モデル情報を入力してもよい。プラットフォームは、このようにして作成装置データ（このデータが、作成装置をデータネットワークに接続すると、自動的にアップロードできるとしても）、並びにプラットフォームが適切な設定を決定でき、作成装置の自動化遠隔制御を介して実装されてもよい、オブジェクト設計ファイルを、作成装置所有者が入力することしか必要としない、能率的にされた作成プロセスを可能にし得る。
【００９２】
代表的な実施形態では、デジタル作成管理プラットフォームは、特定の３Ｄプリンタモデル上にドアノブの設計を３Ｄプリントするタスクを課される。本発明が、噴射ヘッドの正確な直径のようなプリンタの、かつ（オブジェクト設計がプリントのために分割される層の数であってもよく、かつ特定の３Ｄプリンタによって決まってもよい）正確なスライスサイズのようなオブジェクトの正確な設定を特定するために、プラットフォームは、例えば数例を挙げるとプリンタ設定の公的データペースから、作成装置製造業者に関連したウェブサイトから、小売業者ウェブサイトから、かつ／または３Ｄプリントブログからの公的に利用可能な情報に最初にアクセスし、かつ分析し得る。プラットフォームは、次にドアノブまたはドアハンドルを製作するときに、特定の作成装置の最適な設定に関する以前に生成し、かつ記憶された履歴的データにアクセスし、かつ分析してもよい。これらの設定は、３Ｄプリンタ操作者に伝送されてもよく、かつ／または３Ｄプリンタで直接実装されてもよい。
【００９３】
追加のデータ提出のための補助アプリケーションは、特有のオブジェクトタイプもしくは設計ファイルタイプの作成、または特定の作成装置の使用に関する追加の情報にアクセスしてもよい。プラットフォームは、使用する作成装置のタイプを（例えば、数例を挙げると類似したオブジェクトの作成からの履歴的データに基づき、または業界もしくは作業分野のような顧客もしくはユーザに関する情報に基づき）得るまたは予測してもよい。プラットフォームは、次にその作成装置によって必要とされる情報を識別してもよい。作成装置の必要とされる情報は、とりわけユーザの入力を介してまたは以前の作成から得られてもよい。そこから、プラットフォームは、追加の情報が必要とされるかを決定するために、ユーザによってアップロードされてもよい入力オブジェクト設計ファイルを、１つ以上のデータベースからアクセスされてもよい作成装置特性と比較し得る。例えば、作成装置が、フルカラー作成装置であり、かつオブジェクト設計ファイルが白黒であるならば、色情報が必要とされることがある。作成装置が、自動後処理を実行するならば、追加の情報は、必要とされることがある後処理のタイプに関してもよい。プラットフォームは、次に（例えば、数例を挙げると以前の作成に基づく、類似した以前の作成から導かれた、または製造業者から入力された）必要とされる情報を予測してもよい。プラットフォームは、次に予測された情報をユーザに確認のために伝送するか、または発注ワークフロー中にユーザからの手動入力を必要としてもよい。プラットフォームは、いかなる追加の情報も作成装置または装置管理者に理解可能な形状で通信してもよい。
【００９４】
自動供給原料アラートのための補助アプリケーションは、作成供給原料が少ないときに、作成装置システム、所有者および／または操作者に通知を提供し得る。アラートに加えて、プラットフォームは、自動供給原料充足も提供してもよい。供給原料は、３Ｄプリンタ樹脂または未加工プリント材料であり得る。デジタル作成管理プラットフォームと併せてのみ使用される作成装置に関して、プラットフォームは、作成を追跡し、かつ供給原料使用量を推定し得る。供給原料在庫リストは、１つ以上のデータベースに入力され、かつ／または定期的に更新されてもよい。出発供給原料量および作成量に基づき、現在の在庫リスト推定が、算出されてもよい。在庫リスト更新は、作成管理プラットフォームによって専ら使用されない作成装置にも供給原料の通知を可能にし得る。供給原料使用量を推定するために使用されてもよい、プラットフォームを通して実行されない作成ジョブに関するデータを、作成装置所有者は、同様に入力してもよいか、または作成装置は、自動的に提出してもよい。プラットフォームは、供給原料が少ないとき、アラートを作成装置所有者または操作者に生成および／または伝送し得る。プラットフォームは、作成装置が使い果たしたときに供給原料が準備できる十分なリードタイムによって供給原料を発注することによる自動充足サービスを提供し得る。この点に関して、プラットフォームは、近付きつつある作成タスクを考慮し（例えば、大きなジョブが予定される場合に）、かつ十分な供給原料をそれに応じて発注してもよい。供給原料アラートまたは発注システムが、不正確に機能し（例えば、数例を挙げると適正な供給原料がなおも利用可能であるときにアラートを提供する、供給原料が使い果たされたときにアラートを提供しない、または不正確な量もしくは材料を発注する）、かつ結果として作成装置所有者または操作者が干渉するならば、プラットフォームは、エラーおよびなされた修正を追跡し、かつ機械学習用のプログラミングを用いることによってその将来の操作を改善するために、その情報を利用し得る。
【００９５】
キューまたはアレイ管理のための補助アプリケーションは、デジタル作成ワークフローを制御してもよい。（例えば、本発明のデジタル作成管理プラットフォームを通してクラウドソーシングされた）複数のネットワーク作成装置を有するシステムにおいて、プラットフォームは、事前定義された規則、並びに特定のジョブに関して最適な作成装置を自動的に選択するために、時間とともに適合された規則を使用し得る。キューまたはアレイ管理システムは、作成装置または装置操作者のクラウドソーシングされたグループへの作業（例えば、入力オブジェクト設計ファイルデータストリームの目的地を指図すること）の割り当てを管理し得る。キュー管理システムは、数例を挙げると作成装置の費用、作成装置の可能な品質、作成装置の推定される作成タイミング（例えば、作成装置の能力並びに現在の作成キューを考慮すること）、ジョブに必要とされる品質レベル、所望の費用範囲、および／または必要とされる時間範囲を考慮してもよい。かかるシステムは、機械学習および／または知的システム意思決定を含む人工知能プログラミングを利用し得る。システムは、将来、作成装置の選択を改善するためにデジタル作成装置または操作者からのフィードバック（例えば、作成速度、顧客満足度）を利用し得る。
【００９６】
ベッドレイアウトのための補助アプリケーションは、作成装置内のオブジェクト位置の自動調節のための指示を実行および／または提供し得る。プラットフォームは、できるだけよく、かつ最も効率的な作成および材料の使用を達成するために、かかる位置決めを計算および／または調節し得る。プラットフォームは、存在することがある他のオブジェクト（例えば、同時に同じ作成装置内で作成されるオブジェクト、または作成装置からまだ除去されなかった以前作成されたオブジェクト）に関して、かかる位置決めまたはそのための指示を実行してもよい。
【００９７】
フロア管理のための補助アプリケーションは、作成装置から受信されたデータに基づき更に正確に、かつ効率的に作成設備を通して作成オブジェクトのフローの管理を提供でき、追加のデータを作成装置または作成装置所有者に提供し、かつ／またはそのトレーサビリティを確保するために、オブジェクト設計を訂正する。例えば、作成装置から受信されたデータは、作成が、遅延しており、かつオブジェクトが、作成されたことを示すアラートに生成してもよい。作成装置または装置所有者に提供されてもよい追加の情報は、例えば、オブジェクトの後処理を行う、または作成のために使用される材料に基づき記憶場所を識別する方法を示してもよい。トレーサビリティを可能にするオブジェクト設計を訂正することは、物理的オブジェクトを、１つ以上のデータベースに記憶されたオブジェクトに関するデジタル情報にリンクする、例えばステガノグラフィを通して識別子をオブジェクト内に、またはオブジェクト上に挿入することを含み得る。かかるデジタル情報は、出荷情報を含み得る。
【００９８】
防水点検のための補助アプリケーションは、設計がマニホルドであるか、かつ／またはマニホルド設計を達成するためにいずれかの補正が必要であるかの評価を提供し得る。デジタル作成管理プラットフォームの１つ以上のプロセッサ上で動く専門ソフトウェアは、オブジェクト設計ファイルをインポートし、かつ必要とされる評価を実行し得る。実施形態では、プラットフォームは、設計が、すでに評価され、マニホルドとして証明されることを、設計ファイルに関連したメタデータが示すか、決定してもよい。
【００９９】
作成装置互換性のための補助アプリケーションは、オブジェクト設計ファイルが、特有の作成装置上で作成され得るかを確認し得る。プラットフォームは、同じまたは類似したオブジェクト設計ファイルタイプが、類似した作成装置に関する作成の問題を経験したかを決定するために履歴的作成データのデータベースにアクセスし得る。代表的な作成の問題は、オブジェクトの特定の領域における物理的空隙であってもよい。かかる問題は、デジタル設計ファイル点検方法を使用して、検出されてもよい。プラットフォームは、過去のユーザがいかにして互換性の問題を手動により解決したかの履歴的データに基づき、いかなる必要な補正も自動的に行い得る。プラットフォームは、（例えば、３Ｄオブジェクトのプリント可能性を確認するために）人が検討する作成ジョブを伝達でき、かつ／または作成が開始する前に検討が必要であるというアラートを提供する。
【０１００】
写真測量のための補助アプリケーションは、関係のないデータセットからのオブジェクトの作成を可能にでき、データセットは、さもなければかかるオブジェクトを作成するために必要とされる情報を含まないと判断されることがある。例えば、デジタル作成管理プラットフォームは、二次元データを表すファイルタイプを容認する能力を有し得る。プラットフォームは、次に単一の三次元設計を作成する複数のかかる画像を使用でき、それは次に作成機に自動的に送られ得る。プラットフォームは、それ自身のまたは第三者のデータベース内から三次元または他のデータを識別するためにかかる二次元データも使用し、かつ作成装置が実行するための十分な指示によって１つ以上の設計を構築するためにこの同じデータを使用してもよい。
【０１０１】
遠隔品質保証のための補助アプリケーションは、オブジェクトが、正確に作成されたかを検出および／または決定するために用いられ得る。作成管理プラットフォームは、作成が、正確に実行されたかを決定するために、作成装置から受信されたフィードバックデータを、予想されたフィードバックデータ（例えば、数例を挙げると履歴的データ、研究室からの試験データから生成した、かつ／または類似するが同一でないプリント、気象データ、および／もしくは外部センサデータのような種々のデータソースの機械学習による）と比較し得る。フィードバックデータは、センサデータを含み得る。専門のセンサは、設計との比較のために精密な測定を行うために、または容認可能な許容範囲を満たすために、物理的オブジェクトを分析するために用いられてもよい。プラットフォームは、補正行動が必要とされるか、かつ／またはかかる補正行動を取ってもよいかをリアルタイムで決定してもよい。プラットフォームは、フィードバックデータによって作成される信頼区間、およびかかる信頼レベルが十分であるかを決定でき、この結果に対する作成ベースによって構築される責任を潜在的に保証する。例えば、保証パラメータ（例えば、保証期間、補償範囲）は、品質保証または他のフィードバックデータに基づき生成してもよい。
【０１０２】
証明のための補助アプリケーションは、遠隔品質保証プロセスを通して、かつ／または設計の分析から作成された信頼に基づきオブジェクトの統合された証明を提供し得る。プラットフォームは、かかるオブジェクトの必要とされる特性のデータベース、類似した以前の作成されたオブジェクトに関するデータ、および／または顧客もしくは作成装置管理者等に関する情報（その業界など）と併せて、手動入力および／またはオブジェクトのコンピュータビジョン識別に基づき、必要とされるオブジェクト特性および設計目標（例えば、ある軸に影響する強度）を識別し得る。プラットフォームは、次にオブジェクト設計が、識別された必要とされる特性と合致するかを決定するために、有限要素分析技術を用いてもよい。プラットフォームは、許可されるならば、いずれかの不足している特性を補正または提供するために、設計を編集してもよい。プラットフォームは、オブジェクトの作成が、かかる特性を実際に作成することを確保するために、例えば遠隔品質保証を通して作成をモニタしてもよい。プラットフォームは、次にオブジェクトの前述の評価に基づき証明機関からのオブジェクトの証明を提供し得る。
【０１０３】
索引付けのための補助アプリケーションは、オブジェクトを分類するために、コンピュータビジョン（例えば、ボクセルの関係）を使用し、オブジェクト特性を理解し、かつ／またはオブジェクト特性を１つ以上のデータベースに保存し得る。オブジェクト特性は、数例を挙げるとオブジェクトのクラスまたは一般的タイプ（例えば、マグ）、または作成装置内の必要とされる配向を含み得る。プラットフォームは、装置互換性またはよりよい作成のために必要とされるような、配向のような特性を修正してもよい。索引付けは、設計オブジェクトを、類似したオブジェクト、例えばそれらを作成した作成装置の履歴的作成データ、および／または起こったいずれかのエラーもしくは必要であった補正と関連付けるために使用されてもよい。
【０１０４】
作成分析のための補助アプリケーションは、オブジェクトに関して知られている情報を中継するための顧客インタフェースを含み得る。かかる情報は、本明細書に記載されたプロセスを通して自動的に決定されてもよいか、または作成プロセスを通して手動で提供され、かつ１つ以上のデータベースに記憶されてもよい。オブジェクトに関する情報は、グラフ表示を含む種々のフォーマットで提供されてもよい。情報は、数例を挙げると設計の修正、作成状況、および／または作成品質を含んでもよい。プラットフォームは、数例を挙げると、自動的に生成してもよい作成管理プラットフォーム、ウェブサイトインタフェース、電子メールアラート、スマートフォンアプリケーションアラートまたはプッシュ通知、ＳＭＳアラートおよび／または電話呼び出しと統合するように設計されたダウンロード可能なソフトウェアを通して、かかる情報をユーザに提供し得る。
【０１０５】
障害報告のための補助アプリケーションは、デジタル作成プロセス中のエラーに関する種々の詳細のアラート、通知および／または報告を提供し得る。エラーは、例えば作成装置、リーダ装置、他のセンサ、または作成装置もしくはその操作者と関連したコンピュータもしくは電子装置によって提供されるデータを使用して、デジタル作成管理プラットフォームで決定されてもよい。実施形態では、エラーは、数例を挙げると作成装置自体、リーダ装置、および／またはセンサ装置によって決定されてもよい。プラットフォームは、エラーデータに基づきアラート、通知、および／または報告を生成させ得る。プラットフォームは、かかるアラート、通知または報告をユーザ電子装置（例えば、数例を挙げるとコンピュータ、タブレットコンピュータ、スマートフォン、電話、携帯電話、ＰＤＡ、ＴＶ、ゲームコンソール）に電子メール、テキストメッセージ通話、および／または他の通信（例えば、インターネットまたは他のデータもしくはメッセージングネットワーク）を介して伝送し得る。実施形態では、障害報告は、ダウンロード可能なソフトウェアまたはウェブサイトを介してアクセスされ得る。実施形態では、障害報告は、作成を継続もしくは停止すること、または設計もしくは作成設定に対する調節を行うことに関するオプションを含んでもよい。
【０１０６】
管理情報システムのための補助アプリケーションは、オブジェクトの作成に関する情報を受信、翻訳、および／または記憶するために、作成管理プラットフォームによって実装されてもよい。プラットフォームは、全ての関連データ（作成装置からのフィードバックデータ、作成装置所有者からの入力、設計所有者からの入力等）を受信および記憶し得る。例えば、プラットフォームは、数例を挙げるとオブジェクト特性、（修正を含む）設計データ、（状況更新およびエラーを含む）作成データを受信および記憶し得る。プラットフォームは、受信されたデータを例えば中央サーバに記憶する前に、データを共通の操作可能な言語に翻訳し得る。かかるデータは、本明細書に論じられるように、プラットフォームによってアクセスされ、かつ／または機械学習アルゴリズムへの入力として使用されてもよい。実施形態では、ユーザは、１つ以上のコンピュータを使用して、所望の情報を決定するために、管理情報システムのデータベースに問い合わせを行ってもよい。異種ソースから相互運用可能なデータストリームにデータを翻訳することによって、プラットフォームは、データのアクセスおよび使用を促進し得る。
【０１０７】
発注追跡のための補助アプリケーションは、作成状況情報を決定、および／または状況情報の更新を提供し得る。作成管理プラットフォームは、作成状況を示す作成装置からのフィードバックデータを受信し得る。作成状況情報は、作成前プロセス（例えば、防水特性用の設計を分析すること）中のように、プラットフォームによって生成されてもよい。状況情報は、作成プロセスのいずれのステップが完成したか、いずれのステップが進行中か、かつ／またはいずれのステップが残っているかを含み得る。実施形態では、オブジェクトは、物理的作成のプロセスにあるので、すでに作成された部分のコンピュータ生成表示は、生成され、かつユーザに提供され得る。かかる状況表示は、リアルタイムまたはほぼリアルタイムで提供され得る。オブジェクトの１つ以上の事例が作成される発注に関して、量も追跡され得る。プラットフォームは、作成されたオブジェクトの位置、例えば作成設備内、および／または出荷状況も追跡し得る。
【０１０８】
作成後データ収集のための補助アプリケーションは、オブジェクトの作成後に得られたデータを受信、集計、および／または記憶し得る。かかるデータは、数例を挙げるとオブジェクトの摩耗および裂傷のような使用量情報または耐久性情報を含み得る。作成管理プラットフォームは、作成後データを得るために、かかるデータの手動入力用のインタフェースを提供してもよく、かつ／またはセンサ（例えば、作成中に挿入され、かつ情報自体を伝送する知的な埋め込まれたセンサ）を用いてもよい。作成後情報は、作成データと組み合わされ、かつ／または別個に（例えば別個のデータベースに）記憶されるが、（例えば共通の識別子を通して）他のデータと関連付けられてもよい。プラットフォームは、このようにして証明、品質保証のようなプロセスを改善し、かつ／または設計もしくは作成決定を改善するために作成後を使用し得る。
【０１０９】
保証管理のための補助アプリケーションは、オブジェクトデータおよび予測される使用量に基づき保証情報を生成し得る。プラットフォームは、推定される使用量特性（例えば、寿命）を識別し、かつオブジェクトの全部または一部をカバーする保険商品を（直接的に、または第三者を通して）提供し得る。
【０１１０】
ステガノグラフィを読み取り／書き込むための補助アプリケーションは、読み取り可能な、有用な情報を符号化するために、物理的ステガノグラフィまたは透かしを３Ｄオブジェクトに適用することを伴い得る。オブジェクト設計ファイルの作成前処理中に、プラットフォームは、機能性に影響を与えないが、作成後に物理的オブジェクトを検出され、かつ読み取りのときにオブジェクトに関する情報を提供するオブジェクト設計内に、またはオブジェクト設計上に僅かな修正（例えば、オブジェクト表面上の小さい隆起または小さい圧痕）を導入し得る。専門リーダ装置が、かかるステガノグラフィの物理的修正の検出および／または読み取りを可能にしてもよい。例えば、このステガノグラフィ修正は、オブジェクトの作成に関する情報（例えば、数例を挙げると、それがいつ作成されたか、誰によって、設計所有者からの承認によって作成されたか、オブジェクトは証明されたか、および／またはシリアルナンバー）を通信し得る。ステガノグラフィ修正は、設計所有者に関する情報（例えば、設計所有者の身元）も表示し得る。ステガノグラフィ修正は、私有の設計を保護しかつ／または不正な作成を取り締まるツールを提供し得る。
【０１１１】
本発明に関して、本発明の多くの特徴および利点が、書面による記載から明らかであり、したがって、添付の請求項によって本発明の全てのかかる特徴および利点をカバーすることが意図される。更に、多数の修正および変更が、当業者の心に容易に浮かぶので、本発明を例示および記載されたような厳密な構造および操作に限定することは、望まない。それ故に、全ての適切な修正および同等物が、本発明の範囲に入るとして用いられてもよい。図中に記載された要素に関して、１つ以上の要素番号が、使用されてもよく（例えば、設計所有者は、１０１および２０１の両方として参照される）、かつときには要素番号がないこともあることが注目される。記載から、同じまたは類似したまたは同等の要素が記載されるときは、かかる図面番号が異なるとしても、明らかなはずである。
【０１１２】
本発明の種々の要素は、汎用コンピュータ上のソフトウェアとして実装されるモジュールとして記載され、かつ他のものは、ハードウェア要素として記載される。本発明の種々の実施形態では、ソフトウェアの実装が、埋め込まれたハードウェアによって実行され得るか、またはその逆であるか、またはソフトウェアおよびハードウェアのいずれかの組み合わせで実行され得ることが明らかなはずである。同様に、コンピュータは、集積回路、プリント基板、手持ち式コンピュータ、または制限のないいずれかの汎用コンピュータの形状を取ってもよい。
【０１１３】
本発明は、１つ以上のコンピュータもしくはコンピュータシステム、埋め込まれた回路、および／またはこれらのいずれかの組み合わせによって実装されてもよい。ソフトウェア実行は、コンピュータによって読み取り可能であり、かつ上記の操作を実行するために、コンピュータによって実行可能な指示のプログラムを符号化するプログラム記憶装置の使用を通して達成されてもよい。プログラム記憶装置は、当技術分野で知られているか、またはその後に開発されたいずれかのメモリの形状を取ってもよい。指示プログラムは、オブジェクトコード、すなわちコンピュータによって多かれ少なかれ直接的に実行可能である２進法形状、実行前のコンパイルもしくは解釈を必要とするソースコード、または部分的にコンパイルされたコードおよび／もしくは実行可能なライブラリファイルの集合のような、いずれかの中間形状であってもよい。プログラム記憶装置および指示の符号化の厳密な形状は、ここでは、重要でない。
【０１１４】
本発明は、企業ネットワークのようなイントラネット、ローカルおよび広域ネットワーク、インターネットおよびワールドワイドウェブを含むが、それらに限定されない当技術分野で知られているコンピュータネットワークの使用も検討する。ラジオ、赤外線、ブルートゥース、イーサネット（登録商標）並びに他の無線および有線ネットワークのような、但しそれらに限定されない、当技術分野で知られている有線および無線通信、並びに通信プロトコルも検討される。種々のフローチャートにおいて、要素、ルーピング、および反復の間のフロー方向の好ましい実施形態が、例示されるが、これらのフローの代替的な実施形態は、本発明によって検討される。図中に記載されたいずれの要素または他の特徴も、明細書に記載されていなくても、権利付与的であるように図中で指示されている。
【０１１５】
本発明は、安全なデータ転送、遠隔モニタリング、詐欺検出、認証およびステガノグラフィ、ピアツーピアアーキテクチャ、およびアディティブ・マニュファクチャリング、サブトラクティブ・マニュファクチャリング、押出製造、溶融製造、固化製造、射出製造、他の材料プリンティングおよび他のプロセスの他の態様を含むが、それらに限定されない、新規な概念および実装を開示する。ここで言及される全ての参照は、全体があらゆる目的のために組み込まれる。
【０１１６】
図１の１００は、オブジェクト１１６の元の設計所有者１０１と、最終消費者１１０との間のオブジェクトデータファイル１１３およびオブジェクト１１６の好ましい実施形態の全体的フローを例示し、システムプラットフォーム１０３は、媒介の役目を果たす。オブジェクト１１６は、本発明により作成および／またはプリントされる実際の物理的オブジェクトを指すことに注目されたい。プロセスの始めに、設計所有者１０１は、システムプラットフォーム１０３に、ライセンス供与を望むオブジェクトデータファイル１１３を供給する。このファイルは、作成装置１０７によって理解可能である形状に修正および変換されるために、データ準備モジュール１０２（図４に記載された方法）を通して取られる。新規に作成されたオブジェクト設計ファイル１１４は、次にシステムプラットフォームによって記憶されるか、または代案として、設計所有者１０１によって記憶される。作成装置所有者１０５のようなユーザは、システムプラットフォーム１０３によってインタフェース接続することによって所望のオブジェクトデータファイル１１３をブラウズし、かつ次に発注進捗モジュール１０４（図５に記載された方法）を通してそれらを獲得し得る。作成装置の所有者が、オブジェクトを作成するために獲得されたオブジェクトデータファイルを利用することを決定するとき、オブジェクト作成ファイルの暗号化された作品は、作成装置にストリーミングされ、送受信モジュール１０６（図８に記載された方法）によって翻訳され、かつ作成データモニタリング（ＰＤＭ）モジュール１０９（図６に記載された方法）に記載されるように、センサ装置１０８（図１０に記載された方法）を使用して、不正行為および作成品質のために（例えば、同時に）モニタされる。オブジェクト作成が終了する前に、オブジェクトは、独自の物理的署名によって作成され、その真正性を確認し、それは、オブジェクトの機能に影響を与えない。最後に、オブジェクト１１６が、最終消費者１１０の手の中にあるとき、オブジェクト１１６が、元の所有者の設計であり、かつそれが正確な仕様に作成されたという確認は、リーダ装置１１１（図１１参照）、および認証モジュール１１２（図７に記載された方法）の使用を通して達成され得る。認証モジュールは、各々が、オブジェクトの真正性を安全に確認することにおいて重要な機能を実行する、リーダモジュール（図７ａに記載された方法）、走査モジュール（図７ｂに記載された方法）、および署名読み取りモジュール（図７ｃに記載された方法）と呼ばれる３つのサブモジュールを求める。
【０１１７】
図２の２００は、システムアーキテクチャを強調する、システムおよびプロセスの全体的な図の好ましい実施形態を例示する。この設計において、全ての情報は、システムのプラットフォーム２０８（１０３に等しい）上で中央に保持され、それに対して設計所有者２０１は、全ての情報を転送する。同じ設計の代替的な実施形態では、設計所有者は、情報を保持し続けてもよい。このオプションは、図３に詳述される。設計所有者２０１は、単一のオブジェクト設計に貢献する複数の所有者の一人を代表でき、プラットフォームは、所有権の階層内でそのようなものとしてそれを記録する。全てのモジュール（プロセス）は、システムプラットフォーム上で実行される。データ準備モジュール２０２は、受信情報を処理し、かつ発注進捗モジュール２０６は、オブジェクト作成装置２１１の所有者によって発行された発注リクエストを管理および処理する。作成装置上の結果として生じた作成は、システムプラットフォームからストリーミングされた設計データを受信することによって達成される。作成は、センサ装置２０３から作成状態データを受信する作成データモニタリング（ＰＤＭ）モジュール１０９／２０７を通してモニタされ、並びに作成装置は、送受信モジュール２１３、特にそれぞれ作成装置送受信モジュール（図８ｃに記載された方法）およびセンサ装置送受信モジュール（図８ｂに記載された方法）を通してモニタされる。その一方で、全ての生成した情報は、データベース２０５に記憶され、かつ設計所有者２０１並びにオブジェクトの最終消費者２０９の両者は、所有権の階層に沿って主要開発を通知される。リーダ装置２１２を有するユーザは、リーダ装置を使用することによって、または認証モジュール２０４を起動し、かつ実施することと同様に、オブジェクトを同様に認証してもよい。
【０１１８】
図３の３００は、図２に記載されたシステムアーキテクチャの代替的な実施形態の好ましい実施形態を例示する。図２からの主な相違は、大部分の情報が、設計所有者３０６によって保持され続けることをこの実施形態が前提とすることであり、そのことは、彼等がこの情報をコントロールする状態に留まり、かつそれを直接、要求する購入者と共有することを可能にする。したがって、異なる設計所有者と関連していてもよい複数のコンピュータシステムは、１つ以上の作成装置へのデジタル作成データを提供するための作成エンジンとして役立ってもよい。実施形態では、デジタル作成管理プラットフォームは、かかるコンピュータシステムおよび作成装置の間でのデータ伝送のルーティング指示を発送または他の方法で提供する。このことは、図２に例示されるサーバ−顧客モデルのほとんどピアツーピア（Ｐ２Ｐ）バージョンとして記載され得る。設計所有者３０６は、設計所有者の代理人または被任命者も含み得るか、またはその代わりに設計所有者の代理人または被任命者であることに注目されたい。特に設計所有者３０６は、データ準備モジュール３０８ｂをコントロールする状態に留まり続け、かつシステムプラットフォーム３１２が、モジュールに関連した行為を着手することのみを許し、実行できないか、または実行することを望まない。同様に、設計所有者３０６は、リーダ装置３１２が、相互作用をしても、しなくてもよい、認証モジュール３０４ｂの全部および一部をその設備上で実施するという選択を有する。設計所有者３０６は、限られた範囲のユーザおよびリーダ装置に認証モジュールおよびデータベース３０５ｂへのアクセスを同様に制限し得る。したがってプラットフォームは、多層アクセスシステムを、例えば数例を挙げると設計ファイル所有者、または作成装置操作者のために構築または管理してもよい。最後に、設計所有者３０６は、作成データモニタリング（ＰＤＭ）モジュール３０７ｂ、およびセンサ装置への関連した制御および作成装置３１０からこのために受信されたデータを制御することを決定してもよい。設計所有者３０６は、いずれのデータがデータベース３０５ｂ、またはシステムプラットフォーム３１２のデータベース３０５ａ上に記憶されるか、制御する。発注進捗モジュール３０２は、システムプラットフォームによって制御され続け、かつ作成装置３１１の所有者およびオブジェクトの最終消費者３０９は、システムプラットフォームまたは設計所有者のいずれかによって管理されてもよい。
【０１１９】
図４の４００は、設計所有者１０１からのオブジェクトデータファイルが、作成装置１０７によって作成されるべき適正な形状にあるか確認し、かつ次に適正な形状にない場合にファイルを修正するために行動を起こす、データ準備モジュール１０２の好ましい実施形態を例示する。その上、モジュールは、使用される材料、強度または柔軟性のようなオブジェクト性質を最適化することによってオブジェクト設計を強化し得る。データ準備モジュール（３０６）方法は、システムプラットフォーム１０３によって実行される。本発明の一実施形態では、システムプラットフォーム１０３は、（３０６として示される）ネットワークの設計所有者側に位置する。もう１つの実施形態では、システムプラットフォーム１０３は、（３１２として示される）ネットワークの作成側に位置する。データ準備モジュールを通してオブジェクトデータファイルを調製する複数の受信リクエストがあるならば、それらは、サーバ容量を自動的に拡張することによって、または類似の計算パターンを識別し、かつ複数の異なるファイル作成イベントの作成を併合することによって、キューシステムによって取り扱われてもよい。プロセスを開始するために、システムプラットフォーム１０３は、オブジェクトデータファイル１１３を中央設計所有者から受信し（４０１）、かつファイルタイプを評価する（４０２）。このプロセス中に、オブジェクトデータファイルの追加の特性、並びに表示された下層のオブジェクトが、同様に分析でき、かつ対応する行動が、示唆されるか、または取られてもよい。下層のオブジェクトは、追加の情報が提供されずに、オブジェクトデータファイルを分析することによって識別されてもよい。決定されてもよい追加の特徴の例は、下層のオブジェクトが、輸出規制オブジェクトのリストのようなブラックリストに登録されているか否かの識別である。その上、オブジェクト作成ファイルへの変換方法の選択のような更なる処理決定は、識別された特性から少なくとも部分的に導かれてもよい。更に自動的に識別される特性は、設計目的を同様に示し、かつ／またはオブジェクトが、とりわけ作成装置内に据え付けられる方法を決定してもよい。ファイルが、適切なデジタル設計形状にないか、またはむしろオブジェクト設計ファイル１１４でない場合、ファイルは、その場合にオブジェクト作成ファイル１１５に後に変換されるために必要な全ての情報を含む適切なデジタル設計形状に変換され、かつ作成される（４０６）。次に、オブジェクト設計ファイルは、本発明を通して作成される全てのオブジェクトファイルに埋め込まれたグローバルデジタル署名および／または特有のデジタル署名に関して点検される（４３０）。かかる署名は、電子透かしであってもよい。設計ファイルが盗まれ、かつ次に正当化する特徴に到達することを期待して、システムプラットフォーム１０３にその後に提出される場合、これらの署名は、ファイルを暴露し得るが、そのことは、本明細書に記載されているように、これらの署名の特徴の１つのみであってもよい。システムプラットフォーム１０３は、次にモジュールプロセスを終了させる（４３２）か決定を下す（４３１）か、または設計所有者１０１への通知を発行する、または手動の決定を求めるような多数の他の可能なプロセスを実行する（４３３）。次にオブジェクト設計ファイル１１４は、分析され、設計が整合性を有することを確保する（４０４）。例えば、アディティブ・マニュファクチャリングおよび他の製造およびプリンティングプロセスにおいて、システムプラットフォーム１０３は、オブジェクト設計が閉じられ、表面メッシュ（例えば、防水）、マニホルド（縁部は、２つを超える表面間で共有されない）に空隙がなく、かつ表面法線が正しい（正しい方向を指す）ことを点検してもよい。設計中の欠陥が識別されるならば（４０７）、設計が、自動的に調節でき、欠陥を修繕する（４０８）かが次に決定される。調節され得るならば、調節が行われる（４１１）。自動調節が可能でないならば、オブジェクト設計ファイル１１４は、外部実体に送信され、手動で編集され（４１０）、かつ完了後に戻される（４０９）。後続の編集がオブジェクト設計になされるこのプロセス中のいずれの時点でも、新規設計は、望ましくない効果がないことを確実にする承認のために、設計所有者１０１に戻されてもよい。ファイルタイプおよび設計の整合性が、確認されたので、第３のステップは、設計を含む材料の量およびオブジェクトの他の特有の機能性の両方を、これらの変数に関する特定の制約内で（４１４）、自動的かつ同時に最適化すること（４１３）であり、そのことは、図５の発注進捗モジュール（１０４）方法中での任意な最適化のための設計を用意する。強化されたオブジェクト性質を得るためのオブジェクト設計ファイルのこの修正の間、オブジェクトが作成されると、オブジェクトに関する何か重要なことを最終オブジェクト所有者に教えるパターン、コードまたは署名を、オブジェクト構造、組成または任意の数のオブジェクト性質に埋め込むことも可能である。この情報埋め込み方法は、図５の発注進捗モジュール（１０４）方法に記載されるグローバル物理的署名と同じ目的に役立ち得る。それは、不正コピーを防ぐために使用され得る。自動最適化が、エラーを返すか、またはその他のいずれかの理由で最適な材料の使用および機能性の値を選択できないならば、ファイルは、外部実体に送信され、手動で最適化され（４１５）、かつ完了後に戻される（４１６）。次に、オブジェクト設計は、再度分析され、修正のため、設計が現在、物理的に作成不可能でない（設計整合性を有する）ことを確実にする（４１７）。欠陥が見つけられた場合（４１９）、ファイルは、自動的に調節される（４２１）か、または可能でないならば、以前に記載したように、外部に送信され、手動で編集され（４２２）、かつ完了後に受信される（４２３）。この時点で、プラットフォームによって特定された（４２９）グローバルデジタル署名は、ファイルに埋め込まれ（４３４）、プラットフォームによってファイル識別を与えることからの多数の目的に役立つことができ、ファイルを承認されない者によって使用不能にする。グローバルデジタル署名は、オブジェクト設計ファイル中の電子透かしであってもよく、例えば以前にプラットフォームと対話した４２９ように、ファイルを識別してもよい。グローバルデジタル署名は、ファイル、またはヘッダもしくはファイル中の別の予測しにくい位置のようなファイルの特定の部分に挿入される１つ以上の数字または文字を含んでもよい。その後、ファイルは、圧縮され（４２４）、かつ全てのオブジェクト特性が識別された（４２５）後、可能であれば、データ準備モジュール中に構築されるこれらの特性、オブジェクト設計ファイル、およびその各反復は、プラットフォーム上に全て保存され、かつそれぞれのデータベース２０５／３０５内に記憶される。
【０１２０】
図５の５００は、発注進捗モジュール（１０４）方法の好ましい実施形態を例示し、プロセスは、オブジェクト作成装置１０５の所有者１０１によって行われ、システムプラットフォーム１０３から所望のオブジェクト作成ファイル１１５を得る。このモジュールは、一般的にシステムプラットフォーム１０３によって永続的にホストされる唯一のものである。オブジェクト作成装置の所有者は、オブジェクトピクチャもしくは技術図面、旧式の製品番号、または他の検索パラメータの番号を必要に応じて提出することを含むが、それに限定されない種々の方法を通してシステムプラットフォームデータベースに検索指令を発行する（５０１）能力を有する。一旦システムプラットフォーム１０３が、検索リクエストを受信すると、データベースを検索し（５０２）、かつオブジェクトを見つけられない（５０３）場合に、ユーザへの通知を発行する（５０４）。オブジェクトが見つけられたならば、次のステップは、パスワードまたは他の識別ユーザ情報５０６を通してユーザの身元を確認すること（５０５）である。ユーザの身元が確認できない場合、ユーザは、登録する機会が与えられる（５０８）。次に、システムプラットフォーム１０３は、ユーザの作成装置を識別し（５１０）、そのことは、装置への安全な接続を確立し（５０９）、かつ装置の独自の識別子および設定を独自の作成装置ＩＤのシステムプラットフォームデータベースに記録されたそれと照合すること（５１１）によって達成される。安全な接続は、作成装置およびシステムプラットフォームの間の安全な多チャンネル通信を可能にし得る。これらのチャンネルは、数例を挙げると設計データのチャンネル、フィードバックデータのチャンネル、作成装置制御情報のチャンネルからなってもよい。実施形態では、チャンネルは、同じ通信インフラストラクチャまたは媒体を通して連通されてもよい。実施形態では、チャンネルは、通信または一連の通信（例えばデータ通信）のソースおよび目的地を識別してもよい。実施形態では、チャンネルが共通の目的地およびソースを有する場合、チャンネルは、単一の通信または一組の通信の一部、通信経路の一部、および／または同じ通信または一組の通信を含んでもよい。作成装置が、この特有のオブジェクトファイルから以前にオブジェクトを作成したならば、その場合プロセスは、オプション１経路５１３を辿ることができ、かつ作成は、即時に開始し得る。そうでないならば、その場合プロセスは、作成が開始し得る前に幾つものステップを有するオプション２経路５１４を辿らねばならない。
【０１２１】
オプション２経路における第１のステップは、オブジェクトが、作成装置と互換性があるか、換言すると、それが所与の作成装置によって作成され得るかを確認すること（５１５）である。そうでないならば、通知がユーザに発行される（５１６）。そうであるならば、ユーザ資格が、次に点検され（５１７）、かつそれらが、オブジェクトを作成する正しい許可を有すること、または不法行為の記録を有さないことのような最低限のユーザ資格要件５１８を満たさない場合、ユーザは、最低限の資格を満たすために取り得る一組のステップと共にアラートを送信され（５２０）、かつ識別された作成環境は、同時にそれぞれのデータベースに保存される（５３０）。最低限の資格が満たされる場合、ユーザは、請求書を発行され（５２１）、かつオブジェクト設計ファイル１１４を購入する機会を与えられる。ユーザが購入しないことを選択するならば、ユーザは、オブジェクト設計ファイル１１４に関する情報を受信する機会を与えられ、そのことはユーザがオブジェクトに関する何らかの複写および／または有用な情報を見ることを可能にする（５２４）が、ユーザが、オブジェクトを作成することを可能にしない（５２４）。ユーザがファイルを購入することを選ぶならば、ユーザは、支払いプロセスを完了すること（５２６）が求められる。あるいは、種々の因子に応じて、ユーザは、後の段階で、例えば認証物理的署名が、このプロセス全体のこの終わりでまたは後で適用される直前に支払いプロセスを完了することが可能であってもよい。ユーザの完了後、システムプラットフォーム１０３は、ユーザの支払い履歴を点検し（５２７）、かつユーザが良好な状態にない場合、場合により良好な状態に戻る方法に関するステップと共に、アラートがユーザに送信される（５２９）。この機能および他の全ての確認ステップに対する撤回の可能性があり、承認を受けた者によって発行され得る。ユーザが良好な状態にある場合、ユーザに関する全ての確認ステップが、完了し、かつグローバル物理的署名が、ある種のシステムおよびユーザパラメータ５３３によって決定される、オブジェクト設計ファイル１１４に挿入される（５３２）。このグローバル物理的署名は、オブジェクトが、可能な情報の中で特に所与のオブジェクト設計ファイル１１４を使用して、この発明システムプラットフォーム１０３上で作成されたことを最終消費者に教える、作成されたオブジェクト自体の中の除去しにくい物理的指標となる。この署名は、オブジェクト作成後に適用される認証物理的署名のようにオブジェクトの作成の特有の事例のみにあるものでなく、したがって複雑でないことに注目することが重要である。認証物理的署名は、それが正しい仕様および正しい品質に作成されたかを最終消費者に教えるオブジェクトの事例に特有な物理的透かしであり得る。それは、作成中にまたはその直後に挿入されてもよいか、または作成がモニタされた後に（例えば、本明細書に記載されているようにセンサまたはリーダ装置の使用を伴ってもよい、品質保証が評価された後）後で加えられてもよい。次にファイルは圧縮され（５３４）、全てのオブジェクト特性は、可能であれば識別され（５３５）、かつオブジェクト設計ファイル１１４のこの新規な形状は、オブジェクト特性と共に、プラットフォームデータベースに保存される（５３６／５６７）。次にユーザは、ファイルを直ちに作成するか、またはモジュールを終了し（５３９）、かつ後になってオブジェクトを作成することに戻る５４０選択肢を与えられる５３８。ユーザが、作成を続けることを選択するならば、次のステップは、ユーザが以前の発注プロセス中に、または現在特定できた、ユーザの必要とされるサイズを識別し（５４２／５４１）、かつそれを現在のオブジェクト設計ファイルと比較することである。オブジェクト設計ファイルサイズが正しくない場合、設計の整合性をなおもモニタするよう注意しながら、自動的に調節される５４５。次に、非オブジェクト支持構造の設計、というよりはむしろ最終オブジェクトの一部ではないが、（ポリマー添加剤製造における可溶性支持脚などを）生じるための作成に必要な物理的部品が、オブジェクト設計ファイルに加えられる（５４６）。次に、ファイルはこの設計ファイルを作成するこの事例に特有の特有デジタル署名によって埋め込まれる（５４７）。この署名は、先に述べたグローバルデジタル署名として類似の目的に役立つが、数例を挙げると作成日および／または識別番号または文字シーケンスのような更に特有の情報を通信し得る。最後に、オブジェクト設計ファイル１１４は、即時プリント可能な形状の、または作成装置によって利用される言語のファイルである、オブジェクト作成ファイル１１５に変換される（５４８）。その後、オブジェクト作成ファイル１１５およびファイルの圧縮された形状は、プラットフォームのデータベースに保存される（５４９／５５０）。
【０１２２】
ここで作成装置への実際のファイル転送および作成初期化が、開始する。最初に、ユーザは、作成データモニタリングモジュール（１０９）が同時に実行される（５５３）間、ユーザの作成装置１０７上で一旦作成が完了すると区別できるだけである固有のハイライトによってユーザがオブジェクトを作成することを可能にする試験作成を発行される（５５１）。作成データモニタリングモジュール１０９を通して受信されるデータによって確認されるように、試験作成が上手く作成されるならば、または試験が当初成功しないが、自動的に生成した解決策５５４を通して修繕されるならば、実際のオブジェクトの作成が開始し得る。それが上手く作成されず、かつ自動的な解決策が適用され得ないならば、問題を改善するために取るべきステップと共にアラートがユーザに送信される（５５６）。ここで、作成がまもなく開始される（５５７）、プロセスのこの時点で、オプション２経路５１４は、オプション１経路５１３に最終的に追いつく。続けると、オブジェクト作成ファイル１１５の一部をユーザの作成装置に送信する（５５８）ことによって作成が開始され、作成データモニタリングモジュール１０９（図６に記載された方法）に詳述されたステップを実施し（５５９）、かつ次にオブジェクト作成が完了する（５６０）まで継続して繰り返される。設計所有者は、例えばソフトウェアまたはウェブサイトを使用し、デジタル作成管理プラットフォームとインタフェースして、オブジェクト作成が完了したと印を付けられなかったか、１００％未満のオブジェクト作成データが転送されたならば、ユーザによって確立された信頼の存在または程度、最低限の割合のオブジェクトがすでに作成されたか、作成装置フィードバックが欠陥を示したか、かつ／または多数の他の基準のようなある種の基準またはその満足度もしくは不満足度に基づきオブジェクトの再プリントを可能にするか否かを規定する基準を設定し得る。これらの基準は、作成中に設計所有者からの追加の入力なしによどみなく適用され得る。例えば、ある設計所有者は、９０％未満のオブジェクト設計データが転送されたならば、再プリントを許可することを決定してもよく、他方で別の設計所有者は、限度が７０％であると決定してもよい。かかる限度または他の基準は、（例えば、ウェブサイトインタフェースを使用して）設計所有者によってデジタル作成管理プラットフォームに入力され、１つ以上のデータベース（例えば、ユーザ設定のデータベース）に記憶され、かつ／または作成管理プラットフォームによって使用されるコンピュータコードにプログラムされ、再プリントを制御してもよい。作成は、認証物理的署名が生成され（５６１）、かつオブジェクトの一部として作成されるまで完全に完了せず、そのことは、オブジェクトが正しい使用によって作成され、かつ全額支払いが受領された場合にのみ起きる。支払いプロセスが上手く完了した（５６２）ならば、その場合通常、オブジェクトの最終層の形状にある認証物理的署名が、作成装置に送信される（５６５）。その上、作成の発生が、システムプラットフォームデータベースに記録される（５６７）間、請求書５６４および通知５６８が、ユーザに送信される。
【０１２３】
図６の６００は、発注進捗モジュール１０４（図５に記載された方法）中に参照される作成データモニタリングモジュール（１０９）方法の好ましい実施形態を例示する。この方法は、センサ装置１０８および作成装置１０７を介してリアルタイムオブジェクト作成情報を連続的に収集し、予想された結果と比較することによって、正しい作成を確認し、かつ次に発注進捗モジュール１０４が、オブジェクト作成ファイル１１５の作品をシステムプラットフォーム１０３から作成装置１０７へ、システムプラットフォーム送受信モジュールを介して反復して配送し続けること（図８ｄの８００ｄに記載された方法）を可能にすることを含む。実施形態では、モニタリングは、定期的に実施されてもよい。モジュールは、それぞれセンサ装置送受信モジュール（図８ｂの８００ｂに記載された方法）６０２およびプリンタ装置送受信モジュール（図８ｃの８００ｃに記載された方法）６０１を通して送信されたセンサ装置または作成装置によって収集されるオブジェクト作成データを受信および保存する（６０３）システムプラットフォーム１０３または設計所有者１０１によって開始する。この情報は、次に作成の特有の状態に対応する予想される状態６０４のデータベースと比較される（６０５）。これらの予想される状態の生成は、図６ｂに更に記載され、かつ図６ｃ項目に生成が記載されるエラーの範囲６０７の対象となる。データが、エラーの範囲内にあると認められる（６０６）ならば、受信されたデータおよび予想される基本状態の間の差に基づくスコアである、エラーレベルが保存される（６０８）。次に、エラーレベルの走行合計が、算出され（６２５）、かつ手動によって、または他の方法で決定される容認可能限度（６０９）と比較される（６１０）。それが、容認可能限度内にあると認められるならば、プロセスは、発注進捗モジュール（図５の５００に記載された方法）に戻され、作成されるべきオブジェクト設計ファイルの作品を送受信するプロセスを継続する。一旦、オブジェクト作品の作成が完了すると、このＰＤＭモジュール方法は、再度開始され、かつセンサ装置６０２および作成装置６０１の両方からのデータを処理することが、新たに再開する。このプロセスは、作成が完了するか、または容認不可能な作成エラーが見つかるか、いずれか先に来るまで継続する。作成装置送受信モジュール（図８ｃの８００ｃに記載された方法）およびセンサ送受信モジュール６７７（図８ｂの８００ｂに記載された方法）は、システムプラットフォーム１０３が、これらそれぞれの装置から暗号化、暗号解読のプロセスおよび埋め込まれたコード化デジタル署名を通して安全にデータを受信するために両方とも利用されることに注目することが、重要である。
【０１２４】
ここで先に進み、代替的な経路を考察すると、受信されたデータが、エラーの範囲（６０７）内にないならば、かかる違反が気付かれたのが、最初である（６１３）か決定される。これが実際に当てはまるならば、アラートが作成装置１０５の所有者、オブジェクトの最終消費者２０９、プラットフォーム管理者および他のいずれかの利害関係者および承認を受けた者に発行される（６１４）。アラートは、所定の承認されたユーザによって所定の（６１５）遅延の長さ（６１６）内に手動発注（６１７）によって返答されねばならない（６１７）。アラートがこの遅延期間内に回答されない（６１８）ならば、本イベントが最初の違反でない（６１３）ならば、または累積総エラーレベルが、容認可能限度を超える（６１２）ならば、装置の作成は、中断され（６２０）、かつ利害関係者は、アラートを受ける（６２２）。承認されたユーザは、この時点後になおも手動発注を交付し得る。発注が、継続すべき（６２１）ならば、作成モジュールが再開し、センサ装置６０２および作成装置６０１の両方からのデータを処理することが、新たに再開し、上述のプロセスを通して継続的にループする。手動発注が、継続することでないならば、プロセスは、終了されねばならない（６２４）か、または他のプロセスが実行されねばならず（６７５）、そのことは、一連の行動であってもよい。例えば、他の侵害者に導かれるためにユーザの不正が知られているときに、ユーザが、作品のプリンティングを継続することを可能にすることが望ましくなり得る。多くの可能性がある。
【０１２５】
図６ｂの６００ｂは、予想される状態６０４を決定する方法の好ましい実施形態を例示する。それを行うために、類似したタイプの外部作成装置から受信された多くのオブジェクト作成データセット６４９が、場合によりソートされ、加重され、かつ他の方法で処理された（６５１）後に一緒に平均化される（６５０）。このデータは、厳重に制御された条件で操作される試験作成装置６５３からのデータと、並びにオブジェクト作成シミュレーション６５３からのデータと組み合わされる（６５４）。実施形態では、予想される状態６０４は、予想されるフィードバックデータを含んでもよい。予想される状態６０４は、数例を挙げると履歴的データ、試験データ、外部データベースから受信またはアクセスされたデータ、および／または前述のいずれかから導かれたデータに少なくとも部分的に基づき、決定されてもよい。
【０１２６】
図６ｃの６００ｃは、いかにしてエラーの範囲６０７が算出されるかの好ましい実施形態を例示する。それらは、以前検出された、または別の方法で知られていた予想されるセンサのエラー６７１による手動発注６７２の付加、および外部センサ装置６７０からのデータの両方に起因する。オブジェクトが作成されるほど、利用可能なデータ量は、増加し、エラーの範囲が調節されることを可能にする計算された予想状態６０４に保持される、確実性を増加させる。エラーの許容範囲６０７は、数例を挙げると作成されるオブジェクトのタイプ、設計者の要件、作成装置またはセンサ装置からの以前のかつ／または現在のフィードバック、地形、および／または環境条件によって決まってもよい。
【０１２７】
図７の７００は、認証モジュール（１１２）方法の好ましい実施形態を例示し、プロセスは、オブジェクト１１６の真正性を検証または否定する、オブジェクト特有の情報を評価するために、リーダ装置１１１が、辿る。プロセスを開始するために、最終消費者１１０である可能性が高いユーザは、リーダ装置を使用して、オブジェクト特有の情報を走査モジュール（図７ｂに記載された方法）７０１を通して収集し、かつ次にリーダ送受信モジュール７１５（図８ａに記載された方法）の使用を通してこの情報を、係合信号があるかを決定し得る（７０２）システムプラットフォーム１０３に搬送する。あるいは、係合信号の識別は、システムプラットフォーム１０３にデータを送信せずに装置７０２上に起こり得るが、しかしながら、これは、安全でなく、かつしたがって通常、望ましくないオプションである。リーダモジュール方法（図７ａ）を開始するために、係合信号が必要とされ、かつオブジェクトの作成中に加えられたのは、ステガノグラフィ表面層を含む種々のオブジェクト特有の情報、またはオブジェクトの特有の材料性質であってもよい。係合信号が、識別されなかった（７０３）ならば、プロセスは、アラート信号が識別されるか、またはユーザが認証モジュールプロセスを中止するまで、継続してループバックし、別の情報収集を完了する（７０１）。係合信号が、識別されるならば、全部の情報セットが、リーダ送受信モジュール７１４を使用して、全てのオブジェクトの特徴を識別する（７０４）ために、データを処理するシステムプラットフォーム１０３に送信される。このオブジェクトの特徴識別プロセスは、ユーザまたは設計所有者要件７１３に応じてリーダ装置自体の上でも行われる。追加の可能な特徴は、中継される内容のタイプを隠すために、多くの不必要なデータまたは偽のデータも、必要な情報データセットと一緒に送信することである。情報を除外することは、内部で保護された情報を表示することと同じ位、明らかであり得る。データ伝送は、暗号化されてもよい。一旦全てのオブジェクトの特徴が識別され、かつユーザがいずれを選択するかに応じて、この情報が、システムプラットフォーム１０３（ここでは７０５で表される）に転送されるか、または装置上に保有される７１２と、オブジェクトの真正性を決定するために、収集されたオブジェクトの特徴情報を分析する、リーダモジュール（図７ａに記載された方法）が、配備される（７０６）。このプロセスが完了した後、オブジェクトの真正性が、最終的に決定できないならば、通知が、全ての関連ユーザに送信され（７０８）、結果が、リーダに返送され（７０９）、かつイベントのログエントリーが、プラットフォームのデータベースに記録される（７１１）。反対に、オブジェクトの真正性が確認され得るならば、イベントのログエントリーが、同様に記録され（７１１）、情報は、全ての関連ユーザに搬送され（７１０）、かつ関連した情報は、リーダ装置に送信される（７０９）。ユーザもしくはデジタル作成管理プラットフォームへのかかる通知または他のデータ伝送は、少なくとも部分的にフィードバックデータを含み得る。
【０１２８】
図７ａの７００は、オブジェクト１１６の真正性を確認するために、リーダ装置１１１によって収集されたオブジェクト特有の情報を点検するシステムプラットフォーム１１３を含む認証モジュール１１２のサブプロセスである、リーダモジュールの好ましい実施形態を例示する。プラットフォームは、オブジェクトの着色のような、リーダ送受信モジュールを通してリーダ装置７０９からオブジェクト特有の情報を受信すること（７１６）によって、それを行い、情報は、オブジェクトステガノグラフィまたはオブジェクトに触れることなく識別され得る他のいずれかのオブジェクトの特徴に関する。プラットフォームは、次にこの情報を、オブジェクトの表面および材料の特徴情報７１７から開始して分析し、次に（図７ｃに記載される）署名読み取りモジュール方法を行い、コード化されたおよび／または隠された署名を分析し（７１８）、かつ最後に他の残りの情報を分析する（７２７）。各分析段階で、プラットフォームは、所与のオブジェクト１１６に特有なプラットフォームデータベースに関する情報を参照することによっての受信された情報を確認する。オブジェクトの特徴が、識別されていなかったならば、更なる情報が要求され（７１９、７２４、７２９）、それが提供されたならば、プロセスをループバックして、所与のオブジェクトの特徴を再点検する。成功した確認のない多数の反復の後、全プロセスが、中止でき（７２０、７２５、７３０）、かつ通知は、その場合全ての利害関係者に送信される（７２１、７２６、７３１）。これは、詐欺検出のために重要なステップである。若干数の試みに制限されるＡＴＭ暗証番号と同様に、我々の発明は、安全性を厳密にし、かつ可能な侵害者に警告する。識別が、肯定的であったならば、プロセスは、リーダ装置および全ての関連ユーザに通知を送信すること（７４０）によって終了する。このプロセス中にコンパイルされた全てのイベントおよび情報は、プラットフォームデータベース２０５／３０５にログオンされる。
【０１２９】
図７ｂの７００ｂは、オブジェクトの情報が、走査モジュールによって収集される、７０１に強調されたプロセスを詳述する。モジュール方法は、走査すべき部分に関する情報を要求し（７０２ｂ）、かつオブジェクト、またはオブジェクトの読み取りに関する他のいずれかの支持に関して、リーダが置かれねばならない方法に関してユーザを導く位置決め情報を発行すること（７０３ｂ）によって走査する（７０１ｂ）ために、手動の問題に対応する。一旦この段階が完了すると、読み取りは、複数のリーダセンサの１つを通して行われる７０４ｂ。得られた情報のレベルは、次にシステムプラットフォーム１０３によって、リーダ送受信モジュール方法図８ｂを通してそこに送信される（７０５ｂ）か、または装置に保有された（７０９ｂ）後に完全性に関して検討される（７０６ｂ）。受信された情報が、十分でないならば、プロセスは、情報が十分であるまで繰り返される。この繰り返しの各反復において、位置決め情報は、変更されてもよい（７０８ｂ）。一旦十分な情報が受信されると、図７の７００は、継続される。
【０１３０】
図７ｃの７００ｃは、いかにしてコード化された情報が受信され（７０１ｃ）、復号され（７０２ｂ）、かつ関連の特徴が識別されるか（７０３ｃ）を記載する署名読み取りモジュール方法を表す。一旦これらが識別されると、それらは、オブジェクトのタイプおよび他の情報に基づき予想される特徴７０４ｃのデータベースと比較される（７０５ｃ）。完了すると、図７ａの７００ａは、継続する。
【０１３１】
図８の８００は、更に特有のサブモジュールの一般形状を表示する送受信モジュール（１０６）方法の好ましい実施形態を例示する。すなわちリーダ送受信モジュール（図８ａに記載された方法）、センサ送受信モジュール（図７ｂに記載された方法）、および図７ｃに記載された作成装置送受信モジュール方法である。このモジュールは、作成データモニタリングモジュール（図６に記載された方法）および認証モジュール（図７に記載された方法）に参照され、かつ遠隔に位置するプラットフォームと、リーダ装置１１１、センサ装置１０８、および作成装置１０７のような利用される装置との間で、情報を安全に搬送することが要求される。
【０１３２】
図８ａにおいて、このリーダ送受信モジュール方法は、収集された全てのオブジェクト特有の情報８０１ａから所望の情報をフィルタリングし、かつこのフィルタリングされた情報に署名を加える８０２ａ装置によって開始する。データ自体の上のこの署名は、プラットフォームによる後でのデータの真正性の確認を可能にし、かつデータの出所がこのリーダ装置にあり、かつ改変されないことを確保する。このデータは、次に暗号化され８０３ａ、かつ安全な接続が、リーダ装置と、（ここでは８０４ａとして表される）システムプラットフォーム１０３との間に確立される。接続すると、システムプラットフォーム１０３は、リーダ装置を真正な装置として識別できる（８０５ａ）ならば、次にデータ転送が、開始し得る（８０８ａ）。それが識別され得ないならば、プロセスは、中止され、かつ通知は、リーダおよび他の関係者に送信される（８０７ａ）。システムプラットフォーム１０３によりデータの受信が成功すると、データは、暗号解読され（８０９ａ）、かつデータの署名が識別される（８１０ａ）。署名が、識別されないならば（８１１ａ）、プロセスは、中止され、かつ通知が全ての利害関係者に送信される（８１２ａ）。それが識別されるならば、全ての確認プロセスが完了し、かつプラットフォームは、ここでデータの真正性に信頼を有し、かつそれは、作成されたオブジェクトの走査よってもたらされる。プラットフォームは、次にデータを第１の位置に送信する（８１３ａ）、特有の事例の目的に移る。このプロセスを通して、全ての情報およびイベントは、プラットフォームデータベースにログオンされる。
【０１３３】
図８ｂの８００ｂは、センサ送受信モジュール方法の好ましい実施形態を例示する。この方法は、オブジェクト作成に関して収集された情報をセンサ装置１０８からシステムプラットフォーム１０３に暗号化および送信するプロセスを記載し、かつシステムプラットフォーム１０３は、正しい、承認されたオブジェクト作成を確認するために情報を受信および暗号解読する。
【０１３４】
図８ｃの８００ｃは、作成装置送受信モジュール方法の好ましい実施形態を例示する。この方法は、オブジェクト作成に関して収集された情報を作成装置１０７からシステムプラットフォーム１０３に暗号化および送信するプロセスを記載し、かつシステムプラットフォーム１０３は、正しい、承認されたオブジェクト作成を確認するために情報を受信および暗号解読する。
【０１３５】
図８ｄの８００ｄは、システムプラットフォーム送受信モジュール方法の好ましい実施形態を例示する。この方法は、オブジェクト作成ファイル１１５の一部を作成装置１０７にシステムプラットフォーム１０３から暗号化および送信するプロセスを記載し、かつ作成装置１０７は、オブジェクト作成に使用されるべきファイル部分を受信および暗号解読する。この方法において、オブジェクト作成ファイル８０１ｄの一部が選択され、それに対してデジタル署名が加えられる（８０２ｄ）。このデータは次に、暗号化され（８０８ｄ）、かつ作成装置への接続は、図５に記載されているように、確実にされる（８０４ｄ）。一旦作成装置が、識別されると（８０５ｄ）、データの伝送が開始し（８０８ｄ）、それにより方法は、オブジェクト作成ファイルの一部が、どれほどの期間、かつどれほどの量で作成装置上に局所的に、または他の方法で保存されねばならないかを自動的に決定し得る（例えば、外部ハードドライブのような外部非一時的コンピュータ可読記憶装置）。このプロセスは、必要とされるまたは最適なバッファの決定を伴ってもよい。この決定は、数例を挙げると作成装置の処理速度、共有されるデータの範囲、初期接続を確立するためにかけられる時間、データ転送速度、知覚される安全性、データ安全性の考慮、および／または他の因子によって影響を与えられ得る。バッファサイズの計算は、複数の因子の比較検討を伴ってもよい。使用前に、データは、暗号解読され（８０９ｄ）、デジタル署名が識別され（８１０ｄ）、かつこれらのプロセスが、正しく完了したならば、更なる処理が完了され（８１３ｂ）、それぞれ発注進捗モジュールプロセスが、図６に記載されているように継続される。
【０１３６】
図９の９００は、オブジェクトが、前記オブジェクトを認証するために、種々のセンサによって走査され得るリーダ装置の好ましい実施形態を例示する。それは、形状および外部特徴を識別するために距離を置いてオブジェクトを走査することによって、またはオブジェクトの内部にある材料および他のオブジェクトの特徴を識別するためにオブジェクトに触れることによってオブジェクトを測定する装置９０１の頂部の多数のセンサからなる。情報はタッチスクリーン９０２上に表示され、それにより指令が発行され得る。更なる指令は、ハンドルバー９０４上に位置するボタン９０３を介して発行され得る。装置は、無線で、またはポート９０５を通してホストに接続されることによって通信し得る。装置は、図７に記載されたプロセスを行うことを可能にする一連のプロセッサも含む。
【０１３７】
図１０の１０００は、オブジェクトの作成をモニタするために使用され得るセンサ装置の好ましい実施形態を例示する。それは、内部環境を測定するために作成機内部か、または外部環境を測定するために作成機と同じ部屋に置かれ得る。装置は、硬質ケーシング１００１によって囲まれた一連のセンサ１００２からなる。内部センサは、地震効果（例えば、震動）、温度および他の因子を含む、目測を必要としない環境因子を測定する。外部センサ１００５は、オブジェクト作成の状況、汚染および直接の目測を必要とする他の因子のような因子を測定する。センサは、材料品質も測定してよい。装置は、ユーザとの対話を支援し、かつ装置の状態を表示する小型スクリーン１００６、並びにユーザが速やかに指令を発行することを可能にするボタン１００４を含む。ホストと通信するために、センサ装置は、ポート１００３並びに無線通信能力を含む。
【０１３８】
図１１の１１００は、他の図中の要素の凡例である。
【０１３９】
本発明の実施形態が、詳細に示され、かつ説明されたので、それに関する種々の修正および改善が、当業者にとって容易に明らかになり得る。したがって、以上に示したような本発明の代表的な実施形態は、限定的でなく、例示的であることが意図される。本発明の精神および範囲は、広く解釈されるべきある。
【図１】
2016520221.tif 000003
【図２】
2016520221.tif 000004
【図３】
2016520221.tif 000005
【図４】
2016520221.tif 000006
【図５】
2016520221.tif 000007
【図６】
2016520221.tif 000008
【図７】
2016520221.tif 000009
【図７ａ】
2016520221.tif 000010
【図７ｂ】
2016520221.tif 000011
【図７ｃ】
2016520221.tif 000012
【図８】
2016520221.tif 000013
【図８ａ】
2016520221.tif 000014
【図８ｂ】
2016520221.tif 000015
【図８ｃ】
2016520221.tif 000016
【図８ｄ】
2016520221.tif 000017
【図９】
2016520221.tif 000018
【図１０】
2016520221.tif 000019
【図１１】
2016520221.tif 000020
【国際調査報告】
2016520221.tif 000021